(57)【要約】【課題】従来と比して一段と操作性を向上し得るヘッドホン一体型再生装置及びヘッドホン装置を実現する。【解決手段】ヘッドホン一体型再生装置１の右筐体２一面の右筐体内面２Ａに、カナル型の右ヘッドホン４を突設するようにした。さらに右筐体２側面の右筐体下面２Ｄの右ヘッドホン４の根元近傍に、ジョグダイヤル２５を設けるようにした。これにより、右ヘッドホン４が右の耳の穴に挿入された状態で、右筐体２の側面を親指とその他の指とで挟持させながら、このとき親指の腹が接する部分に位置するジョグダイヤル２５を親指で操作させることができる。かくして、操作時に右筐体２の装着位置がずれることを防止しつつ種々の操作を容易に行わせることができる。【選択図】図１２
2010157896.tif 000002
【特許請求の範囲】
【請求項１】
筐体と、
上記筐体の一面に突設され、耳の穴に挿入されるヘッドホンと、
上記筐体の上記一面と直交する他面の上記ヘッドホンの根元近傍に設けられ、押下操作と回転操作が可能な操作部と、
音声データを再生する再生部と、
上記筐体に内蔵され、上記操作部への操作入力に基づいて、記憶媒体に記憶された音声データを上記再生部に再生させる制御部と
を具える再生装置。
【請求項２】
上記制御部は、
上記操作部への操作入力に基づいて、
複数の上記音声データのそれぞれ全てを順に再生する通常再生モードと、複数の上記音声データの特徴部分のみを順に再生する特徴部分再生モードとを切り換えて、上記再生部に再生させる
請求項１に記載の再生装置。
【請求項３】
上記操作部は、
上記ヘッドホンが耳の穴に挿入されたときに、上記筐体の下面となる上記他面に設けられた
請求項１に記載の再生装置。
【請求項４】
上記特徴部分とは、上記音楽データに基づく音楽のさびに相当する部分であるさび部分であり、
上記特徴部分再生モードとは、上記音楽データのさび部分のみを順に再生するさび再生モードである
請求項２に記載の再生装置。
【請求項５】
上記制御部は、
上記通常再生モードであるときに、上記操作部を長押しする長押操作が入力されると、再生モードを当該通常再生モードから上記さび再生モードに切り換え、当該さび再生モードであるときに、上記操作部を短押しする短押操作が入力されると、再生モードを当該さび再生モードから上記通常再生モードに切り換える
請求項４に記載の再生装置。
【請求項６】
上記制御部は、
上記通常再生モードから上記さび再生モードに切り換えるときに、上記操作部が長押操作された時間に基づいて、当該さび再生モードでのさび部分の再生時間を変更する
請求項５に記載の再生装置。
【請求項７】
上記制御部は、
さび再生モードであるときに、上記操作部を長押しする長押操作が入力されるごとに、さび部分の再生時間を変更する
請求項５に記載の再生装置。
【請求項８】
上記制御部は、
上記通常再生モードから上記さび再生モードに切り換えるときに、さび部分の再生時間を、前回さび再生モードであったときのさび部分の再生時間とする
請求項７に記載の再生装置。
【請求項９】
上記制御部は、
上記再生モードを切り換えるときに、再生モードをユーザに通知するための音声データを上記再生部に再生させる
請求項２に記載の再生装置。
【請求項１０】
筐体と、
上記筐体の一面に突設され、耳の穴に挿入されるヘッドホンと、
上記筐体の一面と直交する他面の上記ヘッドホンの根元近傍に設けられ、押下操作と回転操作が可能な操作部と、
を具えるヘッドホン装置。
【発明の詳細な説明】
【技術分野】
【０００１】
本発明は再生装置及びヘッドホン装置に関し、例えば、操作部を有する再生装置及びヘッドホン装置に適用して好適なものである。
【背景技術】
【０００２】
現在、ヘッドホン装置には、装着方法の異なる様々なタイプがあり、例えば、耳を覆うタイプ（アラウンドイヤー型）や、耳に載せるタイプ（オンイヤー型）、耳の穴に挿入するタイプ（インナーイヤー型もしくはカナル型）などが広く普及している。
【０００３】
また、耳に載せる部分となるハウジングの所定位置に、耳の穴に挿入する部分で且つ音が出力される部分となる突起部を設けることで、オンイヤー型の特徴とカナル型の特徴とを有するヘッドホン装置も提案されている（例えば特許文献１参照）。
【０００４】
さらに近年、無線モジュールの小型化にともない、無線モジュールを内蔵した無線ヘッドホン装置も提案されている。この無線ヘッドホン装置は、再生装置と無線で接続され、この再生装置から電波として送信されてくる音声データを受信して再生するようになっている。
【０００５】
またこの無線ヘッドホン装置には、操作部が設けられ、この操作部により無線ヘッドホン装置側から再生装置をリモートで操作できるようになっている。
【０００６】
また一方で、再生装置自体の小型化にともない、ヘッドホン装置と一体化された再生装置（これをヘッドホン一体型再生装置とも呼ぶ）も提案されている。
【特許文献１】特開２００８−２２７９６６公報
【発明の開示】
【発明が解決しようとする課題】
【０００７】
ところで、上述した無線ヘッドホン装置やヘッドホン一体型再生装置の場合、頭部への装着時にボタンなどの操作部がユーザの耳の近くに位置することになる。ゆえにユーザは、操作部を見ながら操作することができず、手探りで操作部を操作しなければならない。
【０００８】
実際、従来の無線ヘッドホン装置やヘッドホン一体型再生装置には、操作部として再生開始／停止ボタン、曲送りボタン、曲戻しボタンと言った複数のボタンが設けられており、これら複数のボタンを手探りで操作することは難しい。
【０００９】
また、このような無線ヘッドホン装置やヘッドホン一体型再生装置では、ユーザが操作部を操作しようとして操作部に力をくわえた結果、装着位置がずれてうまく操作できないこともあり、必ずしも操作性が良いとは言えなかった。
【００１０】
本発明は以上の点を考慮してなされたもので、従来と比して一段と操作性を向上し得る再生装置及びヘッドホン装置を提案しようとするものである。
【課題を解決するための手段】
【００１１】
かかる課題を解決するため本発明の再生装置及びヘッドホン再生装置においては、筐体と、筐体の一面に突設され、耳の穴に挿入されるヘッドホンと、筐体の一面と直交する他面のヘッドホンの根元近傍に設けられ、押下操作と回転操作が可能な操作部と、音声データを再生する再生部と、筐体に内蔵され、操作部への操作入力に基づいて、記憶媒体に記憶された音声データを再生部に再生させる制御部とを有する。
【００１２】
これにより、ヘッドホンが耳の穴に挿入されて筐体がユーザの頭部に装着され、さらにこの装着位置がずれないように筐体の他面を指で挟持させながら、挟持している指で操作部を操作して複数の命令の入力を行わせることができる。
【発明の効果】
【００１３】
本発明によれば、ヘッドホンが耳の穴に挿入されて筐体がユーザの頭部に装着され、さらにこの装着位置がずれないように筐体の他面を指で挟持させながら、挟持している指で操作部を操作して複数の命令の入力を行わせることができる。かくして従来と比して一段と操作性を向上し得る再生装置及びヘッドホン装置を実現することができる。
【発明を実施するための最良の形態】
【００１４】
以下図面について、発明を実施するための最良の形態（以下、これを実施の形態とも呼ぶ）について説明する。なお、説明は以下の順序で行う。
１．実施の形態
２．変形例
【００１５】
＜１．実施の形態＞
［１−１  ヘッドホン一体型再生装置の外観構成］
図１（Ａ）及び（Ｂ）において、１は全体として本発明を適用したヘッドホン一体型再生装置の外観構成を示す。かかるヘッドホン一体型再生装置１は、それぞれ略弓形状の長箱でなる２つの筐体２及び３を有している。
【００１６】
この場合、２つの筐体２及び３は、それぞれ筐体長手方向の一端部が他端部よりも厚くなるように、一面２Ａ及び３Ａの当該一端部に一段高い段差部２ＡＸ及び３ＡＸが形成されている。
【００１７】
そしてヘッドホン一体型再生装置１は、一方の筐体２の一面２Ａの他端部に、カナル型の一対のステレオ用のヘッドホンのうち一方の右チャンネル用のヘッドホン（以下、これを右ヘッドホンとも呼ぶ）４が突設されている。
【００１８】
またヘッドホン一体型再生装置１は、他方の筐体３の一面３Ａの他端部に、カナル型の一対のステレオヘッドホンのうち他方の左チャンネル用のヘッドホン（以下、これを左ヘッドホンとも呼ぶ）５が突設されている。
【００１９】
さらにヘッドホン一体型再生装置１は、これら一方及び他方の筐体２及び３が、ヘッドバンド６を介して繋げられている。
【００２０】
そして、かかるヘッドホン一体型再生装置１は、音声データとして音楽の音声データ（以下、これを特に音楽データとも呼ぶ）や、音声ガイドや効果音の音声データ（以下、これを特にガイドデータとも呼ぶ）等を再生するようになされている。
【００２１】
因みに、以下の説明では、右ヘッドホン４が設けられた一方の筐体２を、右筐体２とも呼び、左ヘッドホン５が設けられた他方の筐体３を、左筐体３とも呼ぶ。
【００２２】
そして、以下の説明では、右筐体２において右ヘッドホン４が設けられた一面２Ａを、右筐体内面２Ａとも呼び、当該右筐体内面２Ａの裏側に位置する弓形状の他面２Ｂを、右筐体外面２Ｂとも呼ぶ。
【００２３】
また、以下の説明では、右筐体２において右筐体内面２Ａ及び右筐体外面２Ｂに接する一対の側面２Ｃ及び２Ｄのうち一方の側面２Ｃを、右筐体上面２Ｃとも呼び、他方の側面２Ｄを、右筐体下面２Ｄとも呼ぶ。さらに、以下の説明では、右筐体２の一端面２Ｅを、右筐体一端面２Ｅとも呼ぶ。
【００２４】
さらに、以下の説明では、左筐体３において左ヘッドホン５が設けられた一面３Ａを、左筐体内面３Ａとも呼び、当該左筐体内面３Ａの裏側に位置する弓形状の他面３Ｂを、左筐体外面３Ｂとも呼ぶ。
【００２５】
さらに、以下の説明では、左筐体３において左筐体内面３Ａ及び左筐体外面３Ｂに接する一対の側面３Ｃ及び３Ｄのうち一方の側面３Ｃを、左筐体上面３Ｃとも呼び、他方の側面３Ｄを、左筐体下面３Ｄとも呼ぶ。さらに、以下の説明では、左筐体３の一端面３Ｅを、左筐体一端面３Ｅとも呼ぶ。
【００２６】
実際に図１（Ａ）及び（Ｂ）並びに図２に示すように、右ヘッドホン４は、根元部分１０Ａよりも先端部分１０Ｂの径が太い円筒状のドライバ収納部１０を有している。
【００２７】
そしてドライバ収納部１０は、その中心軸を、右筐体２の右筐体内面２Ａに垂直な筐体厚み方向と平行にした状態で根元部分１０Ａが右筐体内面２Ａの他端部に接合されて、当該右筐体内面２Ａの他端部から突出するように設けられている。
【００２８】
またドライバ収納部１０の円形の先端面１０Ｃには、筐体長手方向の一端寄りの所定位置に、円筒状の音導管１１が、その中心軸ＣＥ１をドライバ収納部１０の中心軸ＣＥ２と平行な状態よりも筐体長手方向の一端側に僅かに傾けるようにして設けられている。
【００２９】
さらに音導管１１は、シリコンゴムのような樹脂材により円筒状の取付部の一端に傘状の外耳道挿入部１２Ａが設けられて形成されたイヤピース１２の中心を貫く（取付部内から外耳道挿入部１２Ａの先端までを貫く）孔部に挿入されている。
【００３０】
すなわち、イヤピース１２は、音導管１２に対し当該音導管１２の先端部を外耳道挿入部１２Ａの先端の開口から露出させるように取り付けられている。
【００３１】
そして右ヘッドホン４は、ドライバ収納部１０内に振動板や当該振動板の駆動回路等を有するヘッドホンドライバ（図示せず）が収納されている。
【００３２】
これにより右ヘッドホン４は、ヘッドホンドライバにより発生させた音楽のような音声をドライバ収納部１０内から音導管１１の内部を介して当該音導管１１の先端から外部に出力させ得るようになされている。
【００３３】
一方、図１（Ａ）及び（Ｂ）並びに図３に示すように、左ヘッドホン５は、基本的には右ヘッドホン４と同様に構成されている。
【００３４】
よって左ヘッドホン５は、ドライバ収納部１５が、その中心軸を左筐体３の左筐体内面３Ａに垂直な筐体厚み方向と平行にした状態で、先端部分１５Ｂよりも径の細い根元部分１５Ａが左筐体内面３Ａの他端部に接合されている。
【００３５】
すなわち、左ヘッドホン５についても、ドライバ収納部１５が左筐体３に対し左筐体内面３Ａの他端部から突出するように設けられている。
【００３６】
またドライバ収納部１５の円形の先端面１５Ｃには、筐体長手方向の一端寄りの所定位置に、円筒状の音導管１６が、その中心軸ＣＥ３をドライバ収納部１５の中心軸ＣＥ４と平行な状態よりも筐体長手方向の一端側に僅かに傾けるようにして設けられている。
【００３７】
さらに音導管１６には、上述のイヤピース１２と同様構成のイヤピース１７が孔部を介して取り付けられ、当該イヤピース１７の外耳道挿入部１７Ａの先端の開口から音導管１６の先端部を露出させている。
【００３８】
そして左ヘッドホン５は、右ヘッドホン４と同様にドライバ収納部１５内に振動板や当該振動板の駆動回路等を有するヘッドホンドライバ（図示せず）が収納されている。
【００３９】
これにより左ヘッドホン５も、ヘッドホンドライバにより発生させた音楽のような音声をドライバ収納部１５内から音導管１６の内部を介して当該音導管１６の先端から外部に出力させ得るようになされている。
【００４０】
ところで右筐体２の内部には、後述するＣＰＵ（Central  Processing  Unit）やＲＯＭ（Read  Only  Memory）等の各種回路素子が実装された回路基板が収納されており、当該回路基板が右ヘッドホン４用のヘッドホンドライバと電気的に接続されている。
【００４１】
また左筐体３の内部には、ヘッドホン一体型再生装置１を駆動するための電力を供給可能なバッテリ(図示せず)が収納されている。
【００４２】
そして図１（Ａ）及び（Ｂ）並びに図４に示すように、ヘッドバンド６は、一端が右筐体２の右筐体上面２Ｃの一端部側に接続されると共に、他端が左筐体３の左筐体上面３Ｃの一端部側に接続されている。
【００４３】
ヘッドバンド６は、複数の導電線が、弾性を有する絶縁樹脂でなる外被によって被覆されて形成されており、当該導電線により右筐体２内部の回路基板と、左筐体３内部のバッテリや左ヘッドホン５用のヘッドホンドライバとを電気的に接続している。
【００４４】
因みに、ヘッドバンド６は、一端部及び他端部の外被がさらに絶縁樹脂でなる保護チューブ６Ａ及び６Ｂで被覆されている。
【００４５】
よってヘッドバンド６は、ヘッドホン一体型再生装置１の着脱時に一端部及び他端部に折り曲げるような外力が加えられても、保護チューブ６Ａ及び６Ｂにより当該一端部及び他端部が折り曲らないように規制している。
【００４６】
このためヘッドバンド６は、ヘッドホン一体型再生装置１の着脱時に一端部及び他端部に折り曲げるような外力が加えられても、当該一端部及び他端部において外被に亀裂が生じたり導電線が断線することを防止している。
【００４７】
ところで、右筐体２の右筐体一端面２Ｅには、磁石に吸着する金属平板でなる吸着板２０が載置されている。
【００４８】
また左筐体３の左筐体一端面３Ｅには、中央部に吸着板２０の形状及び大きさ並びに厚みに合わせた形状及び大きさ並びに深さを有する凹部でなる吸着板収納部３ＥＸが形成されている。
【００４９】
そして左筐体３は、吸着板収納部３ＥＸの底板の裏側（すなわち、左筐体３の内部）に後述する磁石が設けられている。
【００５０】
このためヘッドホン一体型再生装置１は、右筐体内面２Ａ及び左筐体内面３Ａを同一方向へ向けたまま右筐体２の右筐体一端面２Ｅと左筐体３の左筐体一端面３Ｅとが近づけられると、吸着板２０を、吸着板収納部３ＥＸ内で底板を介して磁石に吸着させる。
【００５１】
よって図５（Ａ）及び（Ｂ）に示すように、ヘッドホン一体型再生装置１は、非装着時に右筐体２及び左筐体３を、右筐体内面２Ａ及び左筐体内面３Ａを同一方向へ向けたまま右筐体一端面２Ｅと左筐体一端面３Ｅとを接続してコンパクトにまとめることができる。
【００５２】
またヘッドバンド６は、全体を２等分するようなほぼ真中の位置に「く」の字状の折り目でなる折曲部６Ｃが予め形成されている。
【００５３】
そしてヘッドバンド６は、右筐体２及び左筐体３が接続された際には、一端部側及び他端部側が円弧状に曲り、折曲部６Ｃと共に全体として、その接続された右筐体２及び左筐体３の周囲で、人の顔よりも小さい略ハート型を描くように形作られている。
【００５４】
また図６に示すように、ヘッドバンド６は、このように右筐体２及び左筐体３が接続された際には、一端部及び他端部を除く中央部分が、右筐体内面２Ａ及び左筐体内面３Ａの向く側の仮想の同一平面上に位置するようにも形作られている。
【００５５】
このため図７に示すように、ヘッドハンド６には、右筐体２及び左筐体３が離隔されて（すなわち、引き離されて）折曲部６Ｃの折曲角度と共に中央部分が広げられると、その折曲角度が広げられた折曲部６Ｃを元の折曲角度に戻すような弾性力が生じる。
【００５６】
よってヘッドハンド６には、折曲部６Ｃの折曲角度と共に中央部分が広げられた場合、そのとき生じる弾性力により、右筐体２及び左筐体３を互いに近づけるように付勢することができる。
【００５７】
またヘッドバンド６には、右筐体２及び左筐体３が離隔されて右筐体内面２Ａ及び左筐体内面３Ａを向かい合わせるように、中央部分に対し一端部側及び他端部側がねじられると、中央部分に対する一端部側及び他端部側のねじれを元に戻すような弾性力が生じる。
【００５８】
よってヘッドバンド６は、中央部分に対し一端部側及び他端部側がねじられた場合、そのとき生じる弾性力により、右筐体２及び左筐体３を回転させて、右筐体一端面２Ｅ及び左筐体一端面３Ｅを向かい合わせるように付勢することができる。
【００５９】
さらにヘッドバンド６には、右筐体２及び左筐体３の接続及び離隔にかかわらずに中央部分を右筐体２及び左筐体３から引き離すように、円弧状の一端部側及び他端部側が弓形状に伸ばされると、その一端部側及び他端部側を元の円弧状に戻すような弾性力が生じる。
【００６０】
よってヘッドバンド６には、円弧状の一端部側及び他端部側が弓形状に伸ばされた場合、そのとき生じる弾性力により、中央部分を、上述した仮想の同一平面上に位置させて右筐体２及び左筐体３に近づけるように付勢することもできる。
【００６１】
そしてヘッドホン一体型再生装置１は、例えば、ユーザにより右手で保持された右筐体２と左手で保持された左筐体３とが離されると、当該右筐体２と左筐体３との間に頭部を通せるようにヘッドバンド６の中央部分を広げることができる。
【００６２】
よってヘッドホン一体型再生装置１は、ユーザにより右手で保持された右筐体２と左手で保持された左筐体３とが離されて当該右筐体２と左筐体３との間に頭部が通されると、右の耳介及び左の耳介に右ヘッドホン４及び左ヘッドホン５を装着させることができる。因みに、以下の説明では、右の耳介を、右耳介とも呼び、左の耳介を左耳介とも呼ぶ。
【００６３】
すなわち、図８乃至図１０に示すように、ヘッドホン一体型再生装置１は、右耳介において耳甲介に右ヘッドホン４のドライバ収納部１０の先端部分１０Ｂを挿入させると共に、外耳道に当該右ヘッドホン４のイヤピース１２を挿入させる。
【００６４】
またヘッドホン一体型再生装置１は、左耳介において耳甲介に左ヘッドホン５のドライバ収納部１５の先端部分１５Ｂを挿入させると共に、外耳道に当該左ヘッドホン５のイヤピース１７を挿入させる。尚、耳甲介と外耳道とを合わせて耳の穴とも呼ぶ。
【００６５】
さらにヘッドホン一体型再生装置１は、この際、ヘッドバンド６おいて、弧状に曲る一端部を右耳介に近接させて右側頭部に位置させると共に、同様に弧状に曲る他端部を左耳介に近接させて左側頭部に位置させて中央部分を後頭部に位置させる。
【００６６】
そしてヘッドホン一体型再生装置１は、このときヘッドハンド６の折曲部６Ｃの折曲角度と共に中央部分が広げられていることにより、上述したように右筐体２と左筐体３を互いに近づけるように付勢する。
【００６７】
よってヘッドホン一体型再生装置１は、右耳介において耳甲介内に右ヘッドホン４のドライバ収納部１０の先端部分１０Ｂを軽く押し付けて密着させると共に、外耳道内に当該右ヘッドホン４のイヤピース１２を軽く押し付けて密着させる。
【００６８】
またヘッドホン一体型再生装置１は、左耳介において耳甲介内に左ヘッドホン５のドライバ収納部１５の先端部分１５Ｂを軽く押し付けて密着させると共に、外耳道内に当該左ヘッドホン５のイヤピース１７を軽く押し付けて密着させる。
【００６９】
さらにヘッドホン一体型再生装置１は、ヘッドバンド６の一端部及び他端部をユーザの右側頭部及び左側頭部に軽く押し付けて密着させる。
【００７０】
これによりヘッドホン一体型再生装置１は、ユーザの右耳介及び左耳介に対し右ヘッドホン４及び左ヘッドホン５を安定して装着させることができる。
【００７１】
またヘッドホン一体型再生装置１では、このとき右筐体２及び左筐体３の右筐体内面２Ａ及び左筐体内面３Ａを向かい合わせるように、ヘッドバンド６において中央部分に対し一端部側及び他端部側がねじられている。
【００７２】
このためヘッドホン一体型再生装置１は、上述したように右筐体２及び左筐体３を回転させて、右筐体一端面２Ｅ及び左筐体一端面３Ｅを向かい合わせるように付勢する。
【００７３】
よってヘッドホン一体型再生装置１は、右筐体２の右筐体内面２Ａの一端部（段差部２ＡＸ）をユーザの右頬に軽く押し付けて密着させると共に、左筐体３の左筐体内面３Ａの一端部（段差部３ＡＸ）をユーザの左頬に軽く押し付けて密着させる。
【００７４】
これによりヘッドホン一体型再生装置１は、ユーザの右耳介及び左耳介に対し右ヘッドホン４及び左ヘッドホン５をさらに安定して装着させることができる。
【００７５】
ところで、かかる構成のヘッドホン一体型再生装置１を装着するユーザとしては、右耳介及び左耳介の比較的大きい人もいれば、比較的小さい人もいる。
【００７６】
そしてヘッドホン一体型再生装置１は、ユーザの右耳介及び左耳介が比較的大きい場合、ヘッドバンド６の一端部を右耳介の耳輪の裏と右側頭部の間に通させ、当該ヘッドバンド６の他端部を左耳介の耳輪の裏と左側頭部との間に通させることができる。
【００７７】
よってヘッドホン一体型再生装置１は、ヘッドバンド６の一端部及び他端部を右耳介及び左耳介の耳輪に掛けさせて、ユーザの右耳介及び左耳介に右ヘッドホン４及び左ヘッドホン５をさらに安定して装着させることができる。
【００７８】
これに対してヘッドホン一体型再生装置１は、ユーザの右耳介及び左耳介が比較的小さいと、ヘッドバンド６の一端部を右耳介の耳輪の裏側と右側頭部の間に通させることができない。またヘッドホン一体型再生装置１は、ユーザの右耳介及び左耳介が比較的小さいと、ヘッドバンド６の他端部を左耳介の耳輪の裏側と左側頭部との間に通させることもできない。
【００７９】
しかしながらヘッドホン一体型再生装置１は、右耳介及び左耳介が比較的小さい場合でも、ヘッドバンド６の一端部及び他端部を付勢して右側頭部及び左側頭部に密着させるため、右ヘッドホン４及び左ヘッドホン５の安定な装着が損なわれることを防止している。
【００８０】
さらにヘッドホン一体型再生装置１は、このときヘッドバンド６の中央部分が後頭部に押されて当該ヘッドハンド６の一端部及び他端部から引き離されていることにより、当該ヘッドバンド６の中央部分を一端部及び他端部に近づけるように付勢する。
【００８１】
よってヘッドホン一体型再生装置１は、ヘッドバンド６の中央部分をユーザの後頭部に軽く押し付けて密着させる。これによりヘッドホン一体型再生装置１は、ユーザの右耳介及び左耳介に右ヘッドホン４及び左ヘッドホン５をさらに安定して装着させることができる。
【００８２】
ところで、図１１に示すように、右筐体２には、右筐体下面２Ｄの一端部にＵＳＢ（Universal  Serial  Bus）規格のコネクタ２３が設けられている。
【００８３】
そしてヘッドホン一体型再生装置１は、コネクタ２３と共にＵＳＢケーブル（図示せず）を介してパーソナルコンピュータのような外部機器（図示せず）と接続して通信する。
【００８４】
これによりヘッドホン一体型再生装置１は、外部機器からＵＳＢケーブルを介して転送される音楽データ等を取り込んで記憶し、また外部機器からＵＳＢケーブルを介して供給される電力によりバッテリを充電し得るようになされている。
【００８５】
また右筐体２には、右筐体下面２Ｄの中央部に、「コ」の字状の音量調整キー２４が、その胴体部の長手方向を筐体長手方向と平行にし、かつ当該胴体部の両端の突部２４Ａ及び２４Ｂそれぞれを右筐体下面２Ｄから僅かに突出させて設けられている。
【００８６】
因みに、以下の説明では、音量調整キー２４において筐体長手方向の一端寄りに位置する突部２４Ａを、特に音量アップボタン２４Ａとも呼び、筐体長手方向の他端寄りに位置する突部２４Ｂを、特に音量ダウンボタン２４Ｂとも呼ぶ。
【００８７】
そしてヘッドホン一体型再生装置１は、音量調整キー２４の音量アップボタン２４Ａが、右筐体２内に比較的短い時間押し込むように押下操作される毎に、右ヘッドホン４及び左ヘッドホン５を介して出力される音声の音量を順次一段階ずつ上げる。
【００８８】
またヘッドホン一体型再生装置１は、音量調整キー２４の音量ダウンボタン２４Ｂが右筐体２内に比較的短い時間押し込むように押下操作される毎に、右ヘッドホン４及び左ヘッドホン５を介して出力される音声の音量を順次一段階ずつ下げる。
【００８９】
因みに、ヘッドホン一体型再生装置１は、音量アップボタン２４Ａが押下操作され続ける（すなわち、押され続ける）と、その間、右ヘッドホン４及び左ヘッドホン５を介して出力される音声の音量を連続的に上げる。
【００９０】
またヘッドホン一体型再生装置１は、音量ダウンボタン２４Ｂが押下操作され続ける（すなわち、押され続ける）と、その間、右ヘッドホン４及び左ヘッドホン５を介して出力される音声の音量を連続的に下げる。
【００９１】
さらに右筐体２には、右筐体下面２Ｄの他端部において右筐体外面２Ｂ寄りに、押下操作及び回転操作可能な回転操作子２５が、縁の一部分を当該右筐体下面２Ｄから僅かに突出させて設けられている。
【００９２】
因みに、以下の説明では、かかる回転操作子２５を、ジョグダイヤル２５とも呼ぶ。また、以下の説明では、ジョグダイヤル２５において右筐体２の右筐体下面２Ｄから僅かに突出する縁の一部分を突出部分とも呼ぶ。
【００９３】
実際にジョグダイヤル２５は、その中心軸を右ヘッドホン４のドライバ収納部１０Ａの中心軸とほぼ一致させ、又は当該ドライバ収納部１０Ａの中心軸と平行で、かつ当該中心軸よりも僅かに右筐体下面２Ｄ寄りに位置させている。
【００９４】
そしてヘッドホン一体型再生装置１は、ジョグダイヤル２５の突出部分に指等を押し付けるようにして、当該ジョグダイヤル２５を右筐体２内に比較的短い時間押し込むように押下操作させ、また比較的長い時間押し込むようにも押下操作させることができる。
【００９５】
さらにヘッドホン一体型再生装置１は、ジョグダイヤル２５の突出部分に当接させた指等を筐体長手方向の一端側や他端側へ移動させるようにして、当該ジョグダイヤル２５を一方向や他方向へ回転操作させることもできる。
【００９６】
因みに、以下の説明では、ジョグダイヤル２５を右筐体２内に比較的短い時間（例えば、１秒未満）押し込むような押下操作を、特に短押操作とも呼ぶ。また、以下の説明では、ジョグダイヤル２５を右筐体２内に比較的長い時間（例えば、１秒以上）押し込むような押下操作を、特に長押操作とも呼ぶ。
【００９７】
さらに、以下の説明では、ジョグダイヤル２５に対する、一方向の回転操作（すなわち、右筐体２の右筐体外面２Ｂを正視した状態で反時計回りとなる回転操作）を、特に＋回転操作とも呼ぶ。
【００９８】
さらに、以下の説明では、ジョグダイヤル２５に対する、他方向の回転操作（すなわち、右筐体２の右筐体外面２Ｂを正視した状態で時計回りとなる回転操作）を、特に−回転操作とも呼ぶ。
【００９９】
またヘッドホン一体型再生装置１は、このようなジョグダイヤル２５への種々の操作により、再生開始や再生停止等の複数種類の命令を入力させることができる。
【０１００】
ところで、図１２に示すように、ユーザは、右手や左手を右耳介や左耳介の高さまで上げたとき、人体構造上、自然に親指を下側に位置させ、他の人差指から小指までの４本の指を親指よりも高く位置させる。
【０１０１】
よってヘッドホン一体型再生装置１は、ユーザへの装着時、例えば、右筐体２の右筐体上面２Ｃに右手の人差指のみ又は人差指及び中指を添わせ、右筐体下面２Ｄに右手の親指を添わせるようにして当該右筐体２を挟持させることができる。
【０１０２】
そしてヘッドホン一体型再生装置１は、上述のように右筐体２の他端部に設けられた右ヘッドホン４においてドライバ収納部１０の先端部分１０Ｂを右耳介の耳甲介に挿入させて密着させると共に、イヤピース１７を右耳介の外耳道に挿入させて密着させている。
【０１０３】
またヘッドホン一体型再生装置１は、上述のように右筐体２の右筐体下面２Ｄの他端部からジョグダイヤル２５の突出部分を突出させている。
【０１０４】
すなわち、ヘッドホン一体型再生装置１は、ジョグダイヤル２５の突出部分を右ヘッドホン４（すなわち、右耳介の外耳道）に近接させ、かつユーザへの装着時には当該ジョグダイヤル２５の突出部分を右ヘッドホン４よりも鉛直下側に位置させている。
【０１０５】
よってヘッドホン一体型再生装置１は、ユーザにより右耳介に装着された右筐体２が直接見えなくても、右耳介の外耳道に右手の指を近づけて右筐体２の他端部を挟持させるだけで、ジョグダイヤル２５の突出部分に右手の親指の腹を容易に接触させることができる。
【０１０６】
因みに、ヘッドホン一体型再生装置１は、上述のように右筐体２の右筐体下面２Ｄにおいてジョグダイヤル２５の突出部分を、右筐体外面２Ｄ寄りに位置させて、右筐体内面２Ａから極力離している。
【０１０７】
このためヘッドホン一体型再生装置１は、右筐体２を挟持している右手において親指を、ユーザの右耳介やその周囲等に何ら接触させることなく、ジョグダイヤル２５の突出部分に的確に接触させることができる。
【０１０８】
そしてヘッドホン一体型再生装置１は、上述したように右筐体２の他端部を右ヘッドホン４を介して右耳介に固定するように保持させた状態で、当該右筐体２の他端部を挟持している右手の親指によりジョグダイヤル２５を押下操作及び回転操作させる。
【０１０９】
このためヘッドホン一体型再生装置１は、右手の親指でジョグダイヤル２５が押下操作や回転操作されたとき、右筐体２がぐらつくことを防止し、また右耳介に対し右筐体２がドライバ収納部１０を中心に回転することも防止することができる。
【０１１０】
すなわち、ヘッドホン一体型再生操作１は、右筐体２を挟持する右手の親指でジョグダイヤル２５を容易にかつ的確に押下操作及び回転操作させることができる。
【０１１１】
さらにヘッドホン一体型再生装置１は、右筐体２において、右ヘッドホン４を介して右耳介に固定するように保持される他端部に極力近い位置に音量調整キー２４が設けられている。
【０１１２】
よってヘッドホン一体型再生装置１は、ユーザにより右手を右耳介の外耳道よりも僅かに顔の前寄りにして右筐体２が挟持されると、右筐体下面２Ｄ中央部の音量調整キー２４に当該右手の親指を容易にかつ的確に接触させることができる。
【０１１３】
またヘッドホン一体型再生装置１は、右手の親指で音量調整キー２４が押下操作されたとき、右筐体２がぐらつくことを防止し、また右耳介に対し右筐体２がドライバ収納部１０を中心に回転することも防止することができる。
【０１１４】
すなわち、ヘッドホン一体型再生操作１は、右筐体２を挟持する右手の親指で音量調整キー２４についても容易にかつ的確に押下操作させることができる。
【０１１５】
このようにしてヘッドホン一体型再生装置１は、右筐体２の右筐体下面２Ｄにジョグダイヤル２５や音量調整キー２４を設けることにより、ユーザへの装着時、左手を使わせずに右手のみを用いて操作させることができる。
【０１１６】
これに加えて図１３に示すように、右筐体２には、右筐体内面２Ａの中央部に、複数の音楽データの再生順序を、異なる２種類の再生順序の一方から他方へ任意に切り換えるための再生順序切換スイッチ２６がスライド可能に設けられている。
【０１１７】
そしてヘッドホン一体型再生装置１は、後述するように複数の音楽データの再生順序を規定する順序規定リストを保持している。
【０１１８】
よってヘッドホン一体型再生装置１は、再生順序切換スイッチ２６が例えば、筐体長手方向の他端側へスライド操作されると、複数の音楽データの再生順序を、順序規定リストが示す再生順序に切り換える。
【０１１９】
またヘッドホン一体型再生装置１は、再生順序切換スイッチ２６が例えば、筐体長手方向の一端側へスライド操作されると、複数の音楽データの再生順序を、順序規定リストが示す再生順序を無作為に並べ替えた再生順序に切り換える。
【０１２０】
因みに、以下の説明では、順序規定リストが示す再生順序を、規定再生順序とも呼び、順序規定リストが示す規定再生順序を無作為に並べ替えた再生順序を、シャッフル再生順序とも呼ぶ。
【０１２１】
また右筐体２には、右筐体内面２Ａの一端寄りに、バッテリの残量を通知するための発光部（以下、これを残量通知発光部とも呼ぶ）２７が設けられている。
【０１２２】
そしてヘッドホン一体型再生装置１は、動作中にはバッテリの残量に応じて残量通知発光部２７の発光色を変更することにより、その発光色によりユーザに対しバッテリの残量を通知し得るようになされている。
【０１２３】
因みに、ヘッドホン一体型再生装置１は、例えば、バッテリが満充電のときには、残量通知発光部２７を緑色に発光させ、当該バッテリの残量が減ると、残量通知発光部２７の発光色を緑色からオレンジ色、赤色と順次変更する。
【０１２４】
ところで図１４に示すように、ヘッドホン一体型再生装置１は、右手で右筐体２が保持され、左手で左筐体３が保持されたままユーザの右耳介及び左耳介から外されて体の前に出されると、右筐体内面２Ａと共に残量通知発光部２７を視野に入れさせることができる。
【０１２５】
よってヘッドホン一体型再生装置１は、ユーザに対し、残量通知発光部２７の発光色によってバッテリの残量を通知することができる。
【０１２６】
また図１５に示すように、ヘッドホン一体型再生装置１は、ユーザの右耳介及び左耳介から外されたとき、右手及び左手で右筐体２及び左筐体３が保持されたまま体の前で接続されると、右筐体内面２Ａと共に残量通知発光部２７をユーザの顔に向けることができる。
【０１２７】
よってヘッドホン一体型再生装置１は、この際、ユーザに残量通知発光部２７を正視させて発光色を正確に確認させ、バッテリの残量を的確に通知することができる。
【０１２８】
さらに図１６に示すように、右筐体２は、右筐体外面２Ｂの一端縁部に沿って、ヘッドホン一体型再生装置１の状態を通知するための帯状の発光部（以下、これを状態通知発光部とも呼ぶ）２８が設けられている。
【０１２９】
ヘッドホン一体型再生装置１は、ＵＳＢケーブルを介して外部機器と接続されている間や当該外部機器から転送された音楽テータを記憶している間、外部機器から供給される電力によりバッテリを充電している間等は状態通知発光部２８を、例えば白色に発光させる。
【０１３０】
ただしヘッドホン一体型再生装置１は、外部機器と接続されている状態や音楽データを記憶している状態、バッテリを充電している状態等に応じて、状態通知発光部２８の発光状態（すなわち、点灯や点滅、点滅間隔等）を変更する。
【０１３１】
これによりヘッドホン一体型再生装置１は、その状態通知発光部２８の発光状態により、ユーザに対し当該ヘッドホン一体型再生装置１の状態を通知することができる。
【０１３２】
またヘッドホン一体型再生装置１は、右筐体２及び左筐体３が接続されたときにも、状態通知発光部２８を１回、白色に発光させて、その接続を通知することができる。
【０１３３】
［１−２  ヘッドホン一体型再生装置の内部構成］
次いで、図１７を用いて、ヘッドホン一体型再生装置１の内部構成について説明する。図１７に示すように、ヘッドホン一体型再生装置１において左筐体３の内部には、上述した磁石３０が、Ｎ極の端面を吸着板収納部３ＥＸの底板の裏側に当接させ、Ｓ極の端面を筐体長手方向の他端側に向けて収納されている。
【０１３４】
また左筐体３の内部には、磁石３０の有する吸着力を増幅するためのヨーク３１が、その一面を磁石３０のＳ極の端面に当接させて収納されている。
【０１３５】
一方、右筐体２の内部には、上述したように回路基板３２が収納されている。また回路基板３２の一面の所定位置には、例えば、巨大磁気抵抗効果現象（GMR:Giant  Magnet  Resistance  Effect）を応用した磁気センサ（シリコン基板上に形成された磁気薄膜素子でなる磁気センサ）を有する検出部３３が回路素子として実装されている。
【０１３６】
ところで、図１８乃至図２１に示すように、検出部３３には、磁石３０が近づくと、その磁石３０の発生している磁界が印加される。因みに、以下の説明では、検出部３０に印加される磁界を、印加磁界とも呼ぶ。
【０１３７】
そして検出部３３に印加される印加磁界の強さ（すなわち、磁束密度）は、磁石３０に吸着板２０が吸着して右筐体２と左筐体３とが接続されたとき（すなわち、検出部３３に磁石３０が最も近づいたとき）に最も大きくなる。
【０１３８】
すなわち、検出部３３に印加される印加磁界の強さ（すなわち、磁束密度）は、右筐体２と左筐体３とが離れるほど、小さくなる。
【０１３９】
このため検出部３３は、印加磁界の強さ（すなわち、磁束密度）の変化に基づき右筐体２と左筐体３との接続の有無を検出する。
【０１４０】
そしてヘッドホン一体型再生装置１は、音楽が聴取されるときには右耳介及び左耳介に装着されるものの、持ち運ばれるときや、使用が終了して机の上等に置かれるとき等には、全体をコンパクトにまとめるために右筐体２と左筐体３とを接続させることができる。
【０１４１】
よってヘッドホン一体型再生装置１は、このような非使用時には右筐体２と左筐体３とが接続されるような使い方に合わせて、後述するように検出部３３により右筐体２と左筐体との接続が検出されると、その検出結果に応じて所定の制御を実行する。
【０１４２】
このようにしてヘッドホン一体型再生装置１は、右筐体２と左筐体３とが、吸着板２０及び磁石３０を介して接続されると、その際にジョグダイヤル２５等を何ら操作させずに所定の制御を実行するようになされている。
【０１４３】
［１−３  ヘッドホン一体型再生装置の回路構成］
次いで、図２２を用いて、ヘッドホン一体型再生装置１の回路構成について説明する。ヘッドホン一体型再生装置１においてＣＰＵ４０は、当該ヘッドホン一体型再生装置１がＵＳＢケーブル（図示せず）を介して外部機器に接続されると、当該外部機器を主体として従属的に動作する。
【０１４４】
これによりＣＰＵ４０は、外部機器から１又は複数の音楽データが転送されると、その転送された音楽データを、コネクタ２３を介して取り込んで、フラッシュメモリでなるＲＯＭ４１に送出して、当該ＲＯＭ４１に音楽データを記憶する。
【０１４５】
尚、ここでは、説明を簡単にするため、外部機器から転送されてくる音楽データのそれぞれが、１曲分の音楽データであるとする。またこの音楽データには、例えば、音楽データに基づく音楽のタイトル（すなわち曲名）を利用して生成されたファイル名が付加されている。
【０１４６】
よってＣＰＵ４０は、外部機器から１度の転送処理で転送された全ての音楽データをＲＯＭ４１に記憶すると、ＲＯＭ４１から、このとき記憶した音楽データのファイル名と、以前の転送処理で記憶している全ての音楽データのファイル名とを読み出す。
【０１４７】
そしてＣＰＵ４０は、これらファイル名を例えば、アルファベット順に並べて、そのファイル名の並びで、対応する音楽データの再生順序を規定する順序規定リストを生成し、当該生成した順序規定リストをＲＯＭ４１に送出して記憶する。
【０１４８】
ところで、ヘッドホン一体型再生装置１に接続される外部機器としては、例えば、音楽データから１オクターブの12音階それぞれに相当する周波数帯域毎のエネルギーを抽出し、当該抽出した周波数帯域毎のエネルギーをもとに音楽の特徴を解析し得るものがある。
【０１４９】
実際に、かかる構成の外部機器は、例えば、音楽データの周波数帯域毎のエネルギーに基づき、音楽の演奏に利用されている楽器や和音、テンポ等を検出する。
【０１５０】
また、かかる構成の外部機器は、和音やテンポ等の検出結果をもとに、音楽の特徴部分としての「さび」と呼ばれる部分の開始位置（すなわち、「さび」の始まりに対応する位置であり、以下、これをさび開始位置とも呼ぶ）を特定する。
【０１５１】
そして、かかる構成の外部機器は、音楽データの転送時、転送対象の音楽データと共に、当該音楽データについて特定したさび開始位置を、開始位置情報としてヘッドホン一体型再生装置１に転送している。
【０１５２】
よってヘッドホン一体型再生装置１のＣＰＵ４０は、外部機器から音楽データと共に開始位置情報が転送されたときには、その音楽データを開始位置情報と共にＲＯＭ４１に送出して、当該ＲＯＭ４１に音楽データと開始位置情報とを対応付けて記憶する。
【０１５３】
このようにしてＣＰＵ４０は、ＲＯＭ４１に複数の音楽データを記憶すると共に、そのＲＯＭ４１に音楽データを追加して記憶する毎に、順序規定リストの内容を更新し得るようになされている。
【０１５４】
またＣＰＵ４０は、外部機器からバッテリを充電するための充電用電力が供給されると、その充電用電力を、過電圧保護回路４２を介して取り込むと共に、当該ＣＰＵ４０内部の電源回路（図示せず）を介してバッテリ４３に供給する。
【０１５５】
このようにしてＣＰＵ４０は、外部機器から供給される充電用電力をもとにバッテリ４３を充電し得るようになされている。
【０１５６】
因みに、ＣＰＵ４０は、外部機器にヘッドホン一体型再生装置１が接続されたときや、外部機器から転送される音楽データを取り込みながらＲＯＭ４１に記憶している間、さらにはバッテリ４３を充電している間は、これらの状態に応じた発光制御信号を生成する。
【０１５７】
そしてＣＰＵ４０は、その発光制御信号を状態通知発光部２８に送出することにより、当該状態通知発光部２８を発光制御信号に基づいて制御してバッテリ一体型再生装置１の状態に応じた発光状態で発光させる。
【０１５８】
これによりＣＰＵ４０は、外部機器にヘッドホン一体型再生装置１が接続された際、当該ヘッドホン一体型再生装置１がどのような状態にあるのかを、状態通知発光部２８を介して通知して確認させることができる。
【０１５９】
一方、ＣＰＵ４０は、ヘッドホン一体型再生装置１に外部機器が接続されてはいないと、操作部４４（すなわち、上述した音量調整キー２４、ジョグダイヤル２５及び再生順序切換スイッチ２６）の操作等に応じて単独でも動作する。
【０１６０】
実際にＣＰＵ４０は、各種処理の実行や各回路ブロックの制御等を停止した電源オフ状態で、ジョグダイヤル２５が短押操作されると、電源オン命令が入力されたと判断する。
【０１６１】
このときＣＰＵ４０は、バッテリ４３の供給電力を内部の電源回路に取り込んで各回路ブロック（ＣＰＵ４０を含む）を動作させるための動作用電力を生成する。
【０１６２】
そしてＣＰＵ４０は、自己の動作用電力により、各種処理や各回路ブロックの制御を実行可能な電源オン状態となり動作を開始する。
【０１６３】
またＣＰＵ４０は、このとき各回路ブロックにそれぞれ対応する動作用電力を供給して、これら各回路ブロックを動作可能な状態にする。
【０１６４】
ところで、ＣＰＵ４０は、電源オフ状態では、ジョグダイヤル２５が実装された回路素子を電源オン命令の入力用の短押操作のみ検出可能な状態にし、これによりユーザにジョグダイヤル２５を介して電源オン命令のみは入力させ得るようになされている。
【０１６５】
因みに、ＣＰＵ４０は、バッテリ４３を充電用電力で充電するときや当該バッテリ４３から供給電力を取り込むときには、電源回路に接続されたインダクタ４６を介して当該充電用電力や供給電力に対しノイズを抑制し、また整流や平滑化している。
【０１６６】
またＣＰＵ４０は、ＲＯＭ４１に、予め基本プログラムや、再生制御プログラム及び動作制御プログラムのようなアプリケーションプログラム等の各種プログラムを記憶している。
【０１６７】
よってＣＰＵ４０は、外部機器が接続されずに電源オン状態になると、操作部４４へのユーザ操作に応じて入力される各種命令等に応じて、ＲＯＭ４１から各種プログラムを読み出してＲＡＭ（Random  Access  Memory）４５に展開する。
【０１６８】
これによりＣＰＵ４０は、ＲＡＭ４５で展開した各種プログラムに従って装置全体（すなわち、各回路ブロック）を制御すると共に、各種処理を実行する。
【０１６９】
因みに、ＣＰＵ４０は、電源オン状態では、発振器４７の発生する動作クロックのタイミングで動作すると共に、その動作クロックを各回路ブロックに供給して、これら各回路ブロックも当該動作クロックのタイミングで動作させている。
【０１７０】
これによりＣＰＵ４０は、例えば、再生順序切換スイッチ２６のスライド操作に応じて、規定再生順序を選択する選択命令が入力されたと判断すると、これに応じて複数の音楽データの再生順序を規定再生順序に設定する。
【０１７１】
これに対してＣＰＵ４０は、再生順序切換スイッチ２６のスライド操作に応じて、シャッフル再生順序を選択する選択命令が入力されたと判断すると、複数の音楽データの再生順序をシャッフル再生順序に設定する。
【０１７２】
またＣＰＵ４０は、ジョグダイヤル２５が短押操作及び長押操作並びに＋回転操作及び−回転操作されると、この操作に応じて、音楽データの再生制御を行う。すなわちＣＰＵ４０は、音楽データを再生する再生モードの切り換えや、音楽データの再生開始、再生停止、曲送り、曲戻しなどの再生制御を行う。
【０１７３】
尚、ＣＰＵ４０は、再生モードとして、音楽データの先頭位置から後尾位置まで再生（これを通常再生とも呼ぶ）する通常再生モードと、さびに相当する部分のみを再生（これをさび再生とも呼ぶ）するさび再生モードとを有している。因みに、以下の説明では、音楽データにおいて音楽のさびに相当する部分を、さび部分とも呼ぶ。
【０１７４】
ＣＰＵ４０は、通常再生する際、ＲＯＭ４１から音楽データを読み出すと共に、当該読み出した音楽データに復号処理やデジタルアナログ変換処理、増幅処理等の再生処理を施して、右チャンネル用及び左チャンネル用の音楽信号を生成する。
【０１７５】
またＣＰＵ４０は、右チャンネル用の音楽信号を右ヘッドホン４のヘッドホンドライバ４８に送出すると共に、左チャンネル用の音楽信号を左ヘッドホン５のヘッドホンドライバ４９に送出する。
【０１７６】
これによりＣＰＵ４０は、右チャンネル用の音楽信号に基づいてヘッドホンドライバ４８を駆動制御して右ヘッドホン４から右チャンネル用の音楽を出力させる。
【０１７７】
またＣＰＵ４０は、左チャンネル用の音楽信号に基づいてヘッドホンドライバ４９を駆動制御して左ヘッドホン５から左チャンネル用の音楽を出力させる。
【０１７８】
このようにしてＣＰＵ４０は、右ヘッドホン４及び左ヘッドホン５を介してユーザにステレオ音楽を聴かせることができる。
【０１７９】
一方、ＣＰＵ４０は、さび再生する際、ＲＯＭ４１から音楽データを読み出す。またＣＰＵ４０は、このときＲＯＭ４１から読み出す音楽データに開始位置情報を対応付けていると、ＲＯＭ４１から、その開始位置情報も読み出す。
【０１８０】
またＣＰＵ４０は、音楽データにおいて開始位置情報が示すさび開始位置から所定の再生時間分の部分をさび部分として上述と同様の再生処理を施すことにより、右チャンネル用及び左チャンネル用のさび部分信号を生成する。
【０１８１】
そしてＣＰＵ４０は、右チャンネル用のさび部分信号を右ヘッドホン４のヘッドホンドライバ４８に送出すると共に、左チャンネル用のさび部分信号を左ヘッドホン５のヘッドホンドライバ４９に送出する。
【０１８２】
これによりＣＰＵ４０は、右チャンネル用のさび部分信号に基づいてヘッドホンドライバ４８を駆動制御して右ヘッドホン４から右チャンネル用の音楽の中でさびの頭から所定の再生時間分を出力させる。
【０１８３】
またＣＰＵ４０は、左チャンネル用のさび部分信号に基づいてヘッドホンドライバ４９を駆動制御して左ヘッドホン５から左チャンネル用の音楽の中でさびの頭から所定の再生時間分を出力させる。
【０１８４】
ただし、ＣＰＵ４０は、さび再生する際、ＲＯＭ４１から読み出す音楽データに開始位置情報を対応付けていない場合は、当該ＲＯＭ４１から音楽データのみを読み出す。
【０１８５】
この際、ＣＰＵ４０は、音楽データにおいて先頭位置から予め選定された所定の再生時間（例えば４５秒）に達する位置をさび開始位置として特定する。
【０１８６】
よってＣＰＵ４０は、この場合、音楽データにおいて、その特定したさび開始位置から所定の再生時間分の部分をさび部分として上述と同様の再生処理を施すことにより、右チャンネル用及び左チャンネル用のさび部分信号を生成する。
【０１８７】
そしてＣＰＵ４０は、右チャンネル用のさび部分信号を右ヘッドホン４のヘッドホンドライバ４８に送出すると共に、左チャンネル用のさび部分信号を左ヘッドホン５のヘッドホンドライバ４９に送出する。
【０１８８】
これによりＣＰＵ４０は、右チャンネル用のさび部分信号に基づいてヘッドホンドライバ４８を駆動制御して右ヘッドホン４から右チャンネル用の音楽の中でさびの頭から所定の再生時間分を出力させる。
【０１８９】
またＣＰＵ４０は、左チャンネル用のさび部分信号に基づいてヘッドホンドライバ４９を駆動制御して左ヘッドホン５から左チャンネル用の音楽の中でさびの頭から所定の再生時間分を出力させる。
【０１９０】
このようにしてＣＰＵ４０は、右ヘッドホン４及び左ヘッドホン５を介してユーザにステレオ音楽のさびを聴かせることができる。
【０１９１】
さらにＣＰＵ４０は、音楽データだけでなく、ガイドデータも再生できるようにもなっている。この場合も、ＣＰＵ４０は、音楽データの通常再生と同様に、ＲＯＭ４１からガイドデータを読み出すと共に、当該読み出したガイドデータに再生処理を施して、右チャンネル用及び左チャンネル用の音声信号を生成する。
【０１９２】
またＣＰＵ４０は、右チャンネル用の音声信号を右ヘッドホン４のヘッドホンドライバ４８に送出すると共に、左チャンネル用の音声信号を左ヘッドホン５のヘッドホンドライバ４９に送出する。
【０１９３】
これによりＣＰＵ４０は、右チャンネル用の音声信号に基づいてヘッドホンドライバ４８を駆動制御して右ヘッドホン４から右チャンネル用の音声ガイド又は効果音を出力させる。
【０１９４】
またＣＰＵ４０は、左チャンネル用の音声信号に基づいてヘッドホンドライバ４９を駆動制御して左ヘッドホン５から左チャンネル用の音声ガイド又は効果音を出力させる。
【０１９５】
このようにしてＣＰＵ４０は、右ヘッドホン４及び左ヘッドホン５を介してユーザに音声ガイド又は効果音を聴かせることができる。
【０１９６】
ところでＣＰＵ４０は、複数の音楽データの再生順序を規定再生順序に設定している状態で通常再生やさび再生を行う場合、複数の音楽データそれぞれの先頭位置から後尾位置までやさび部分を、順序規定リストが示す規定再生順序で順番に再生する。
【０１９７】
またＣＰＵ４０は、複数の音楽データの再生順序をシャッフル再生順序に設定している状態で通常再生やさび再生を行う場合、例えば、順序規定リストの示す規定再生順序を無作為に並べ替えてシャッフル再生順序を決定する。
【０１９８】
そしてＣＰＵ４０は、複数の音楽データそれぞれの先頭位置から後尾位置までやさび部分を、そのシャッフル再生順序で順番に再生する。
【０１９９】
このようにしてＣＰＵ４０は、複数の音楽データの再生順序を規定再生順序やシャッフル再生順序に設定した状態で通常再生を行う場合、これら複数の音楽データの再生順序が異なるだけで、基本的には同一の再生制御を行う。
【０２００】
またＣＰＵ４０は、複数の音楽データの再生順序を規定再生順序やシャッフル再生順序に設定した状態でさび再生を行う場合も、これら複数の音楽データの再生順序が異なるだけで、基本的には同一の再生制御を行う。
【０２０１】
ここで、図２３を用いて、ヘッドホン一体型再生装置１のジョグダイヤル２５の操作と再生制御について詳しく説明する。尚、ここでは、一例として、複数の音楽データの再生順序が規定再生順序に設定された状態での再生制御について説明する。
【０２０２】
上述したようにヘッドホン一体型再生装置１は、ジョグダイヤル２５への種々の操作（短押操作、長押操作、＋回転操作及び−回転操作）により、複数種類の命令を入力できるようになっている。
【０２０３】
そしてヘッドホン一体型再生装置１のＣＰＵ４０は、ジョグダイヤル２５への操作に応じて、音楽データの再生制御を行う。
【０２０４】
実際、ＣＰＵ４０は、例えば、音楽データを何ら再生していない状態（すなわち再生停止の状態）で、ジョグダイヤル２５が短押操作されると、音楽データを通常再生する通常再生モードに移行する（切り換える）。
【０２０５】
通常再生モードに移行するとＣＰＵ４０は、ＲＯＭ４１に記憶されている順序規定リストに基づき、例えば先頭の音楽データから順に通常再生していく。
【０２０６】
この通常再生モード時、ＣＰＵ４０は、ジョグダイヤル２５が＋回転操作されると、順序規定リストに基づき、通常再生中の音楽データの再生を停止して、次の音楽データをその先頭位置から通常再生する。すなわちＣＰＵ４０は、ジョグダイヤル２５の＋回転操作に応じて次の曲（音楽データ）の先頭位置への曲送りを行う。
【０２０７】
さらにＣＰＵ４０は、この通常再生モード時に、ジョグダイヤル２５が−回転操作されると、通常再生中の音楽データの再生位置に応じた曲戻しを行う。
【０２０８】
具体的にＣＰＵ４０は、ジョグダイヤル２５が−回転操作された時点の音楽データの再生位置が、先頭位置から所定時間（例えば４秒）以内であった場合、この音楽データの再生を停止して、１つ前の音楽データを、その先頭位置から通常再生する。すなわちＣＰＵ４０は、１つ前の曲の先頭位置への曲戻しを行う。
【０２０９】
これに対して、ジョグダイヤル２５が−回転操作された時点の音楽データの再生位置が、先頭位置から所定時間（例えば４秒）を超える場合、ＣＰＵ４０は、この音楽データの再生を一旦停止して、再度、この音楽データを、その先頭位置から通常再生する。すなわちＣＰＵ４０は、通常再生中の曲の先頭位置への曲戻しを行う。
【０２１０】
このようにしてＣＰＵ４０は、ジョグダイヤル２５の−回転操作に応じて、１つ前の曲の先頭位置へ、もしくは通常再生中の曲の先頭位置への曲戻しを行う。
【０２１１】
さらにＣＰＵ４０は、この通常再生モード時に、ジョグダイヤル２５が短押操作されると、音楽データの再生を停止して、再生停止の状態となる。
【０２１２】
さらにＣＰＵ４０は、この通常再生モード時に、ジョグダイヤル２５が長押操作されると、音楽データのさび部分を再生するさび再生モードに移行する。
【０２１３】
このさび再生モードには、さび再生時間が短いさび再生（短）モードと、さび再生時間が長いさび再生（長）モードとの２つのモードがある。ここで、さび再生（短）モードでのさび再生時間は、例えば４秒に設定され、さび再生（長）モードでのさび再生時間は、例えば１５秒に設定されているとする。
【０２１４】
実際、通常再生モード時に、ジョグダイヤル２５が長押操作されると、ＣＰＵ４０は、さび再生（短）モードとさび再生（長）モードのうちのさび再生（短）モードに移行する。
【０２１５】
通常再生モードからさび再生（短）モードに移行するとＣＰＵ４０は、順序規定リストに基づき、通常再生中の音楽データの再生を停止して、この音楽データの次の音楽データを、そのさび開始位置からさび再生する。そしてＣＰＵ４０は、以降、順序規定リストに基づき、音楽データを順にさび再生していく。このときのさび再生時間は、上述したように４秒である。
【０２１６】
またこのとき（すなわち通常再生モードからさび再生（短）モードへの移行時）ＣＰＵ４０は、さび再生（短）モードに移行した旨をユーザに通知するためのガイドデータを再生する。このとき再生されるガイドデータは、例えば、さび再生（短）モードに移行した旨の音声ガイドを録音した音声データである。このようなガイドデータを再生することで、ＣＰＵ４０は、さび再生（短）モードに移行した旨をユーザに音声のみで認識させることができる。
【０２１７】
さらにＣＰＵ４０は、このさび再生（短）モード時、ジョグダイヤル２５が＋回転操作されると、順序規定リストに基づき、現在さび再生中の音楽データの再生を停止して、次の音楽データをそのさび開始位置からさび再生する。すなわちＣＰＵ４０は、ジョグダイヤル２５の＋回転操作に応じて次の曲（音楽データ）のさび開始位置への曲送りを行う。
【０２１８】
さらにＣＰＵ４０は、このさび再生（短）モード時に、ジョグダイヤル２５が−回転操作されると、現在さび再生中の音楽データの再生を停止して、１つ前の音楽データをそのさび開始位置からさび再生する。すなわちＣＰＵ４０は、ジョグダイヤル２５の−回転操作に応じて１つ前の曲（音楽データ）のさび開始位置への曲戻しを行う。
【０２１９】
さらにＣＰＵ４０は、このさび再生（短）モード時に、ジョグダイヤル２５が短押操作されると、通常再生モードに移行する。
【０２２０】
さび再生（短）モードから通常再生モードに移行するとＣＰＵ４０は、さび再生中の音楽データの再生を停止して、再度、この音楽データを、その先頭位置から通常再生する。そしてＣＰＵ４０は、以降、順序規定リストに基づき、音楽データを順に通常再生していく。
【０２２１】
またこのとき（すなわちさび再生（短）モードから通常再生モードへの移行時）ＣＰＵ４０は、通常再生モードに移行した旨をユーザに通知するためのガイドデータを再生する。このとき再生されるガイドデータは、例えば、通常再生モードに移行した旨の音声ガイドを録音した音声データである。このようなガイドデータを再生することで、ＣＰＵ４０は、通常再生モードに移行した旨をユーザに音声で認識させることができる。
【０２２２】
このようにＣＰＵ４０は、通常再生モード時に、ジョグダイヤル２５を長押操作されると、さび再生（短）モードに移行する。するとＣＰＵ４０は、通常再生モードで通常再生していた音楽データの次の音楽データから順にさび部分を再生していく。
【０２２３】
このようにＣＰＵ４０は、ジョグダイヤル２５を長押操作するだけの簡易な操作で、通常再生モードからさび再生（短）モードに再生モードを切り換えることができる。
【０２２４】
そしてＣＰＵ４０は、さび再生（短）モード時に、音楽データのさび部分を順に再生していくことで、さび部分の音声だけで、所望の曲（音楽データ）をユーザに検索させることができる。
【０２２５】
さらにＣＰＵ４０は、音楽データのさび部分を再生中に、ジョグダイヤル２５が短押操作されると、通常再生モードに移行する。するとＣＰＵ４０は、さび部分を再生していた音楽データを、その先頭位置から通常再生する。
【０２２６】
こうすることで、ＣＰＵ４０は、さび再生（短）モードで、所望の曲（音楽データ）を見付けたユーザに対して、直ちにその曲（音楽データ）を聴かせることができる。
【０２２７】
さらにＣＰＵ４０は、このさび再生（短）モード時に、ジョグダイヤル２５が長押操作されると、さび再生（長）モードに移行する。
【０２２８】
さび再生（短）モードからさび再生（長）モードに移行するとＣＰＵ４０は、さび再生中の音楽データのさび再生時間を延長する。すなわち４秒から１５秒に延長する。尚、このとき再生中の音楽データは、さび再生（長）モードに移行した時点から１５秒間さび再生が継続される。そしてＣＰＵ４０は、以降、順序規定リストに基づき、音楽データを順にさび再生していく。このときのさび再生時間は、上述したように１５秒である。
【０２２９】
またこのとき（すなわちさび再生（短）モードからさび再生（長）モードへの移行時）ＣＰＵ４０は、さび再生（長）モードに移行した旨をユーザに通知するためのガイドデータを再生する。このとき再生されるガイドデータは、例えば、さび再生モード内でさび再生（長）モードに移行した旨の音声ガイドを録音した音声データである。このようなガイドデータを再生することで、ＣＰＵ４０は、さび再生モード内でさび再生（長）モードに移行した旨をユーザに音声で認識させることができる。
【０２３０】
またＣＰＵ４０は、このさび再生（長）モード時、ジョグダイヤル２５が＋回転操作されると、順序規定リストに基づき、さび再生中の音楽データの再生を停止して、次の音楽データをそのさび開始位置からさび再生する。すなわちＣＰＵ４０は、ジョグダイヤル２５の＋回転操作に応じて次の曲（音楽データ）のさび開始位置への曲送りを行う。
【０２３１】
さらにＣＰＵ４０は、このさび再生（長）モード時に、ジョグダイヤル２５が−回転操作されると、さび再生中の音楽データの再生を停止して、１つ前の音楽データをそのさび開始位置からさび再生する。すなわちＣＰＵ４０は、ジョグダイヤル２５の−回転操作に応じて１つ前の曲（音楽データ）のさび開始位置への曲戻しを行う。
【０２３２】
さらにＣＰＵ４０は、このさび再生（長）モード時に、ジョグダイヤル２５が長押操作されると、さび再生（短）モードに移行する。
【０２３３】
さび再生（長）モードからさび再生（短）モードに移行するとＣＰＵ４０は、さび再生中の音楽データの再生時間を短縮する。すなわち１５秒から４秒に短縮する。尚、このとき再生中の音楽データは、さび再生（短）モードに移行した時点から４秒間さび再生が継続される。そしてＣＰＵ４０は、以降、順序規定リストに基づき、音楽データを順にさび再生していく。このときのさび再生時間は、上述したように４秒である。
【０２３４】
またこのとき（すなわちさび再生（長）モードからさび再生（短）モードへの移行時）ＣＰＵ４０は、さび再生（短）モードに移行した旨をユーザに通知するためのガイドデータを再生する。このとき再生されるガイドデータは、例えば、さび再生モード内でさび再生（短）モードに移行した旨の音声ガイドを録音した音声データである。このようなガイドデータを再生することで、ＣＰＵ４０は、さび再生モード内でさび再生（短）モードに移行した旨をユーザに音声で認識させることができる。
【０２３５】
さらにＣＰＵ４０は、このさび再生（長）モード時に、ジョグダイヤル２５が短押操作されると、通常再生モードに移行する。
【０２３６】
さび再生（長）モードから通常再生モードに移行するとＣＰＵ４０は、さび再生中の音楽データの再生を停止して、再度、この音楽データを、その先頭位置から通常再生する。そしてＣＰＵ４０は、以降、順序規定リストに基づき、音楽データを順に通常再生していく。
【０２３７】
またこのとき（すなわちさび再生（長）モードから通常再生モードへの移行時）ＣＰＵ４０は、通常再生モードに移行した旨をユーザに通知するためのガイドデータを再生する。このとき再生されるガイドデータは、例えば、さび再生（短）モードから通常再生モードに移行したときに再生されるものと同一の音声データである。このようなガイドデータを再生することで、ＣＰＵ４０は、通常再生モードに移行した旨をユーザに音声で認識させることができる。
【０２３８】
このようにＣＰＵ４０は、さび再生時間が４秒と短いさび再生（短）モード時に、ジョグダイヤル２５が長押操作されると、さび再生時間が１５秒と長いさび再生（長）モードに移行する。またＣＰＵ４０は、さび再生（長）モード時に、長押操作されると、さび再生（短）モードに移行する。
【０２３９】
このようにＣＰＵ４０は、ジョグダイヤル２５を長押操作するだけの簡易な操作で、さび再生モードでのさび再生時間を４秒から１５秒に、またはその逆に切り換えることができる。
【０２４０】
こうすることでＣＰＵ４０は、ユーザに適したさび再生時間でさび再生を行うことができるので、さび再生による曲（音楽データ）の検索のし易さを向上することができる。
【０２４１】
ところで、上述したように、ＣＰＵ４０は、再生モードの移行時に、再生モードを移行した旨をユーザに通知するためのガイドデータを再生するようにした。ここで、実際、このガイドデータを再生するときに、このガイドデータの再生と、音楽データの再生とが重なる期間があり、この期間、ＣＰＵ４０は、ガイドデータと音楽データとをミキシング再生する。
【０２４２】
このときＣＰＵ４０は、ガイドデータと音楽データのうちの音楽データの再生音量を小さくすることで、ガイドデータによる音声が音楽で聴こえにくくなってしまうことを防ぐようになっている。
【０２４３】
例えば、通常再生モードからさび再生（短）モードへ移行したとする。このときＣＰＵ４０は、通常再生中の音楽データの再生を停止して、この音楽データの次の音楽データを、そのさび開始位置からさび再生すると共に、さび再生（短）モードに移行した旨をユーザに通知するためのガイドデータを再生する。
【０２４４】
この場合、ガイドデータの再生を開始してから再生中の音楽データの再生が停止されるまでの間と、次の音楽データの再生が開始されてからガイドデータの再生が終了するまでの間とが、音楽データとガイドデータとがミキシング再生される期間となる。
【０２４５】
このときＣＰＵ４０は、通常再生中の音楽データの再生音量を現在の設定値から０まで徐々に小さくして（すなわちフェードアウト処理する）、この音楽データの再生を停止する。またＣＰＵ４０は、次の音楽データの再生を開始すると、この音楽データの再生音量を０から現在の設定値まで徐々に大きくする（すなわちフェードイン処理する）。
【０２４６】
このように、ＣＰＵ４０は、ガイドデータと音楽データとをミキシングする期間で、音楽データに対してフェードアウト・イン処理を行うことで、音楽データの再生音量を小さくするようにした。
【０２４７】
こうすることで、ＣＰＵ４０は、ユーザに対して、より明瞭にガイドデータによる音声を聞かせることができる。
【０２４８】
また例えば、さび再生（短）モードからさび再生（長）モードへ移行したとする。このときＣＰＵ４０は、さび再生中の音楽データの再生時間を延長して再生し続けると共に、さび再生（長）モードに移行した旨をユーザに通知するためのガイドデータを再生する。
【０２４９】
この場合、ガイドデータを再生している期間が、音楽データとガイドデータとがミキシング再生される期間となる。
【０２５０】
このときＣＰＵ４０は、さび再生中の音楽データの再生音量を現在の設定値から例えば数十％小さな値にまで徐々に小さくして（フェードアウト処理して）、所定期間経過後、再び、再生音量を現在の設定値にまで徐々に大きくする（フェードイン処理する）。ここで、さび再生中の音楽データの再生音量を抑えている期間は、ガイドデータの再生時間と同程度に設定されている。
【０２５１】
このようにＣＰＵ４０は、ガイドデータと音楽データとをミキシングする期間で、音楽データの再生音量を小さくするようにした。こうすることで、ＣＰＵ４０は、音楽データのさび再生を継続しながらも、ユーザに対して、より明瞭にガイドデータによる音声を聞かせることができる。
【０２５２】
またＣＰＵ４０は、さび再生モードから通常再生モードへの移行時、さび再生（長）モードからさび再生（短）モード時への移行時にも同様に、ガイドデータと音楽データとをミキシング再生する期間で、音楽データの再生音量を小さくするようになっている。
【０２５３】
さらにＣＰＵ４０は、再生モードの移行時だけでなく、さび再生モード時での音楽データの切り換わり時にも、音楽データが切り換わった旨をユーザに通知するためのガイドデータを再生するようになっている。尚、ここで言う音楽データの切り換わり時とは、曲送り操作（＋回転操作）がされた時と、曲戻し操作（−回転操作）がされた時と、さび再生時間が経過して次の音楽データのさび再生に切り換わった時である。
【０２５４】
このとき再生されるガイドデータは、音楽データが次の音楽データに、もしくは１つ前の音楽データに切り換わった旨を示す効果音を録音した効果音データである。このようなガイドデータを再生することで、ＣＰＵ４０は、さび再生モード時に、音楽データが切り換わった旨をユーザに効果音で認識させることができる。
【０２５５】
この場合も、このガイドデータの再生と、音楽データの再生とが重なる期間があり、この期間、ＣＰＵ４０は、ガイドデータと音楽データとをミキシング再生する。
【０２５６】
このときもＣＰＵ４０は、ガイドデータと音楽データのうちの音楽データの再生音量を小さくすることで、ガイドデータによる効果音が音楽で聴こえにくくなってしまうことを防ぐようになっている。
【０２５７】
例えば、曲送り操作がされたとする。このときＣＰＵ４０は、さび再生中の音楽データの再生を停止して、次の音楽データをそのさび開始位置からさび再生すると共に、音楽データが切り換わった旨をユーザに通知するためのガイドデータを再生する。
【０２５８】
この場合、ガイドデータの再生が開始されてからさび再生中の音楽データの再生が停止されるまでの間と、次の音楽データのさび再生が開始されてからガイドデータの再生が終了するまでの間とが、音楽データとガイドデータとがミキシング再生される期間となる。
【０２５９】
このときＣＰＵ４０は、さび再生中の音楽データの再生音量を現在の設定値から０まで徐々に小さくして（すなわちフェードアウト処理する）、この音楽データの再生を停止する。またＣＰＵ４０は、次の音楽データのさび再生を開始すると、この音楽データの再生音量を０から現在の設定値まで徐々に大きくする（すなわちフェードイン処理する）。
【０２６０】
こうすることで、ＣＰＵ４０は、ユーザに対して、より明瞭にガイドデータによる効果音を聞かせることができる。
【０２６１】
またＣＰＵ４０は、曲戻し操作がされた時、さび再生時間が経過して次の音楽データのさび再生に切り換わった時にも同様に、ガイドデータと音楽データとをミキシング再生する期間で、音楽データの再生音量を小さくするようになっている。
【０２６２】
上述したように、ヘッドホン一体型再生装置１は、ジョグダイヤル２５の操作だけで、再生モードの切り換え、再生開始、再生停止、曲送り、曲戻しと言った複数の命令入力を行うことができる。
【０２６３】
さらにヘッドホン一体型再生装置１は、さび再生モードで音楽データのさび部分を順に再生していくことで、音楽データに関する情報（曲名など）を表示する表示部がなくとも、複数の音楽データのなかから所望の音楽データを容易にユーザに探させることができる。
【０２６４】
またヘッドホン一体型再生装置１は、再生モードの切り換え時（移行時）、及び再生する音楽データの切り換え時に、この旨を通知するためのガイドデータを再生することで、この旨をユーザに容易に認識させることができる。
【０２６５】
かくして、ヘッドホン一体型再生装置１は、表示部がないにもかかわらず、表示部を有する再生装置と、同等もしくはそれ以上の使い勝手を実現することができる。
【０２６６】
ところで上述したように、ヘッドホン一体型再生装置１（図２２）には、印加磁界の強さ（すなわち、磁束密度）の変化に基づき右筐体２と左筐体３との接続の有無を検出する検出部３３が設けられている。
【０２６７】
図２４に示すように、検出部３３は、上述したように磁気センサ６０を有し、当該磁気センサ６０には電源端子、出力端子及び接地端子が設けられている。
【０２６８】
磁気センサ６０は、電源端子がＣＰＵ４０内の電源回路の電力供給端子に接続されると共に、出力端子がＣＰＵ４０の入力端子（汎用ポート）に接続され、接地端子が接地されている。
【０２６９】
また検出部３３は、磁気センサ６０の電源端子と電源回路の電力供給端子との接続中点が第１のコンデンサ６１を介して接地されると共に、当該磁気センサ６０の出力端子とＣＰＵ４０の入力端子との接続中点が第２のコンデンサ６２を介して接地されている。
【０２７０】
そして図２５に示すように、検出部３３は、磁気センサ６０により、右筐体２と左筐体３との距離（すなわち、検出部３３と、磁石３０との距離）に応じて変化する印加磁界（すなわち、磁石３０による印加磁界）の強さを磁束密度の値として検出する。
【０２７１】
この場合、図２５に示す特性曲線Ａからも明らかなように、磁気センサ６０によって検出される磁束密度は、右筐体２と左筐体３とが近づくほど高い値となり、右筐体２及び左筐体３が吸着板２０及び磁石３０を介して接続された状態で最も高い値となる。また磁気センサ６０によって検出される磁束密度は、右筐体２と左筐体３とが離れるほど低い値となる。
【０２７２】
このため検出部３３において磁気センサ６０には、右筐体２と左筐体３との接続の有無を検出するために任意に選定された第１のしきい値ＴＨ１と、当該第１のしきい値ＴＨ１よりも低い第２のしきい値ＴＨ２とが設定されている。
【０２７３】
よって検出部３３において磁気センサ６０は、例えば、ＣＰＵ４０が電源オン状態になり電源回路から電力が供給されて動作を開始すると、その動作開始時点に検出した磁束密度の値を第１及び第２のしきい値ＴＨ１及びＴＨ２と比較する。
【０２７４】
その結果、磁気センサ６０は、磁束密度の値が第１のしきい値ＴＨ１以上であると、右筐体２及び左筐体３とが接続されたことを示す論理「Ｌ」レベルの接続検出信号をＣＰＵ４０に送出する。
【０２７５】
これに対して磁気センサ６０は、その動作開始時点に検出した磁束密度の値が第２のしきい値ＴＨ２以下であると、右筐体２と左筐体３とか離隔していることを示す論理「Ｈ」レベルの離隔検出信号をＣＰＵ４０に送出する。
【０２７６】
また磁気センサ６０は、動作中には常時、磁束密度を検出すると共に、当該検出した磁束密度の値を第１及び第２のしきい値ＴＨ１及びＴＨ２と比較している。
【０２７７】
磁気センサ６０は、一度、第１のしきい値ＴＨ１以上の値の磁束密度を検出して接続検出信号をＣＰＵ４０に送出すると、この後、第２のしきい値ＴＨ２以下の値の磁束密度を検出するまでの間は、接続検出信号をＣＰＵ４０に送出し続ける。
【０２７８】
そして磁気センサ６０は、接続検出信号をＣＰＵ４０に送出している状態で、第２のしきい値ＴＨ２以下の値の磁束密度を検出すると、その時点に、接続検出信号に替えて離隔検出信号をＣＰＵ４０に送出する。
【０２７９】
また磁気センサ６０は、一度、第２のしきい値ＴＨ２以下の値の磁束密度を検出して離隔検出信号をＣＰＵ４０に送出すると、この後、第１のしきい値ＴＨ１以上の値の磁束密度を検出するまでの間は、離隔検出信号をＣＰＵ４０に送出し続ける。
【０２８０】
そして磁気センサ６０は、離隔検出信号をＣＰＵ４０に送出している状態で、第１のしきい値ＴＨ１以上の値の磁束密度を検出すると、その時点に、離隔検出信号に替えて接続検出信号をＣＰＵ４０に送出する。
【０２８１】
このようにして検出部３３は、磁気センサ６０により右筐体２と左筐体３との接続の有無を検出すると共に、その検出結果を接続検出信号及び離隔検出信号としてＣＰＵ４０に通知し得るようになされている。
【０２８２】
因みに、以下の説明では、接続検出信号と離隔検出信号とを特に区別する必要のない場合には、これらをまとめて接続有無検出信号とも呼ぶ。
【０２８３】
一方、ＣＰＵ４０は、検出部３３から接続有無検出信号が与えられると、当該与えられた接続有無検出信号に応じて種々の制御を実行する。
【０２８４】
図２６（Ａ）乃至（Ｆ）に示すように、ＣＰＵ４０は、右筐体２と左筐体３とが離された状態でジョグダイヤル２５が短押操作されると、ジョグダイヤル２５から短押操作の間のみ論理「Ｈ」レベルに立ち上がる操作信号Ｓ１を取り込む（図２６（Ａ））。このときＣＰＵ４０は、その操作信号Ｓ１に応じて電源オン命令が入力されたと判断する。
【０２８５】
そしてＣＰＵ４０は、電源オン命令の入力を判断すると、バッテリ４３から供給電力ＰＷ１を電源回路に取り込んで（図２６（Ｂ））、当該電源回路により供給電力ＰＷ１をもとに動作用電力ＰＷ２を生成する（図２６（Ｃ））。
【０２８６】
これによりＣＰＵ４０は、動作用電力ＰＷ２により電源オン状態となり動作を開始すると共に、各回路ブロックへ対応する動作用電力ＰＷ２を供給して適宜動作させる。
【０２８７】
その結果、ＣＰＵ４０は、このとき動作を開始した検出部３３から右筐体２と左筐体３との離隔が検出されて離隔検出信号Ｓ２Ａが与えられる（図２６（Ｄ））と、これに応じて各回路ブロックの制御を継続して適宜動作させる。
【０２８８】
このようにしてＣＰＵ４０は、右筐体２と左筐体３とが離隔されている状態で動作していると、例えば、電源回路を介してバッテリ４３の残量を検出する。
【０２８９】
そしてＣＰＵ４０は、その検出結果に応じた発光制御信号Ｓ３を生成して残量通知発光部２７に送出することにより、当該残量通知発光部２７を発光制御信号Ｓ３に基づいて制御して、バッテリ４３の残量に応じた発光色で発光させる（図２６（Ｅ））。
【０２９０】
ただしヘッドホン一体型再生装置１は、ユーザの右耳介及び左耳介に装着されていると、右筐体２において残量通知発光部２７の設けられた右筐体内面２Ａがユーザの頬に向き、ユーザに残量通知発光部２７を直接見せることはできない。
【０２９１】
このためＣＰＵ４０は、電源オン状態では残量通知発光部２７を所定周期（例えば、５〔sec〕周期）で順次制御することにより、当該残量通知発光部２７を定期的に、バッテリ４３の残量に応じた発光色で点滅させる。これによりＣＰＵ４０は、残量通知発光部２７の発光によりバッテリ４３の電力が無駄に消費されることを防止している。
【０２９２】
またＣＰＵ４０は、例えば、右筐体２と左筐体３とが離されたままの電源オン状態でジョグダイヤル２５が短押操作されると、当該ジョグダイヤル２５から与えられる短押操作の間のみ論理「Ｈ」レベルに立ち上がる操作信号を取り込む。このとき、ＣＰＵ４０は、その操作信号に応じて音楽データＤ１の再生開始命令が入力されたと判断する。
【０２９３】
そしてＣＰＵ４０は、このように再生開始命令の入力を判断すると、上述したように音楽データＤ１を再生することにより、その音楽データＤ１に基づくステレオ音楽を右ヘッドホン４及び左ヘッドホン５から出力してユーザに聴かせる（図２６（Ｆ））。
【０２９４】
ところで、図２７（Ａ）乃至（Ｆ）に示すように、ＣＰＵ４０は、右筐体２と左筐体３とが離隔されたまま、電源オン命令の入力（図２７（Ａ））に応じて電源オン状態になっていると、操作部４４への音楽データＤ１の再生に関する何れの操作も有効にしている。
【０２９５】
因みに、操作部４４への操作が有効な状態とは、ＣＰＵ４０が操作部４４に対する操作に応じて操作命令の入力を受け付ける（すなわち、入力される操作命令を判断する）状態である。
【０２９６】
そして、音楽データＤ１の再生に関する操作とは、音楽データＤ１の再生を開始及び停止するためや、再生モードを切り換えるため、また曲送りや曲戻し等をするためのジョグダイヤル２５に対する短押操作及び長押操作並びに＋回転操作及び−回転操作である。
【０２９７】
また音楽データＤ１の再生に関する操作とは、音楽データＤ１の再生順序を切り換えるための再生順序切換スイッチ２６に対するスライド操作や、音量を調整するための音量調整キー２４に対する押下操作である。
【０２９８】
よってＣＰＵ４０は、右筐体２と左筐体３とが離隔されている間は、ユーザに対し操作部４４を介して、音楽データＤ１の再生に関する再生開始命令や再生停止命令、再生順序切換命令等の種々の操作命令の何れも入力させることができる。
【０２９９】
このためＣＰＵ４０は、右筐体２と左筐体３とが離隔されていると、上述したような音楽データＤ１の通常再生やさび再生を実行することができる（図２７（Ｆ））。
【０３００】
因みに、以下の説明では、音楽データＤ１の通常再生とさび再生とを特には区別する必要がない場合、これらをまとめて、単に再生とも呼ぶ。
【０３０１】
すなわち、ＣＰＵ４０は、右筐体２と左筐体３とが離隔されていると、操作部４４に対する操作に応じて各回路ブロックを制御することにより、ヘッドホン一体型再生装置１を音楽の通常再生やさび再生に自由に使用させることができる。
【０３０２】
またＣＰＵ４０は、このように音楽データＤ１の再生中は、上述と同様に発光制御信号Ｓ３に基づいて残量通知発光部２７を制御してバッテリ４３の残量に応じた発光色で発光させる（図２７（Ｅ））。
【０３０３】
この状態でＣＰＵ４０は、検出部３３から右筐体２と左筐体３との接続が検出されて離隔検出信号Ｓ２Ａに替え接続検出信号Ｓ２Ｂが与えられる（図２７（Ｄ））と、実行中の音楽データＤ１の再生を強制的に停止する（図２７（Ｆ））。
【０３０４】
またＣＰＵ４０は、音楽データＤ１の再生を強制的に停止させると、引き続き残量通知発光部２７に対する発光制御信号Ｓ３の送出を停止して発光も停止させる（図２７（Ｅ））。
【０３０５】
ただし右筐体２と左筐体３との接続が検出されたときには、ヘッドホン一体型再生装置１が図１４及び図１５のように右耳介及び左耳介から外され、残量通知発光部２７をユーザの顔に向けたまま右筐体２と左筐体３とが接続されている場合がある。
【０３０６】
このためＣＰＵ４０は、右筐体２と左筐体３との接続が検出されると、残量通知発光部２７に対する発光制御信号Ｓ３の送出周期を無視し、音楽データＤ１の再生を強制的に停止した後、ただちに発光制御信号Ｓ３を残量通知発光部２７に送出する。
【０３０７】
これによりＣＰＵ４０は、右筐体２と左筐体３との接続が検出されたときには、その時点までの所定の発光周期を無視して、発光制御信号Ｓ３に基づき残量通知発光部２７を最後に一度（すなわち、数秒程度の短時間）点灯させた後、発光を停止させる。
【０３０８】
よってＣＰＵ４０は、ユーザにより残量通知発光部２７を顔に向けたまま右筐体２と左筐体３とが接続されていると、このとき残量通知発光部２７を介してバッテリ４３の残量をほぼ確実に通知して確認させることができる。
【０３０９】
またＣＰＵ４０は、残量通知発光部２７の発光を停止させると、引き続き電源回路を制御して動作用電力ＰＷ２の生成を停止すると共に、各回路ブロックへの動作用電力ＰＷ２の供給も停止して各回路ブロックの動作を停止させる（図２７（Ｃ））。
【０３１０】
さらにＣＰＵ４０は、各回路ブロックの動作を停止させると、引き続きバッテリ４３からの供給電力ＰＷ１の取り込みも停止して、自己の動作を停止させ、電源オフ状態に移行する（図２７（Ｂ））。
【０３１１】
このようにしてＣＰＵ４０は、ヘッドホン一体型再生装置１が音楽を聴くために使用されているときに、右筐体２と左筐体３との接続が検出されると、これに応じてヘッドホン一体型再生装置１の使用が終了したものとみなし、電源オフ状態になる。
【０３１２】
因みに、ＣＰＵ４０は、右筐体２と左筐体３との接続が検出されたときには、その検出に応じて発光制御信号を生成し、当該生成した発光制御信号を状態通知発光部２８に送出する。
【０３１３】
これによりＣＰＵ４０は、発光制御信号に基づき状態通知発光部２８を、例えば、一度だけ（すなわち、数秒程度の短時間だけ）白色に点灯させ、かくして状態通知発光部２８の、その点灯により電源オフ状態に移行したことを通知している。
【０３１４】
また図２８（Ａ）乃至（Ｆ）に示すように、ＣＰＵ４０は、上述のように右筐体２と左筐体３とが離隔されたまま、電源オン命令の入力（図２８（Ａ））に応じて電源オン状態になっていると、操作部４４への何れの操作も有効にしている。
【０３１５】
しかしながらＣＰＵ４０は、この際、音楽データＤ１の再生に関する操作が何ら行われていないと、音楽データＤ１の再生処理を実行せず（図２８（Ｆ））、また残量通知発光部２７も何ら制御しないことで発光を停止させている（図２８（Ｅ））。
【０３１６】
この状態でＣＰＵ４０は、検出部３３から右筐体２と左筐体３との接続が検出されて離隔検出信号Ｓ２Ａに替え接続検出信号Ｓ２Ｂが与えられる（図２８（Ｄ））と、その時点のバッテリ４３の残量に応じた発光制御信号Ｓ３を生成する。
【０３１７】
そしてＣＰＵ４０は、その発光制御信号Ｓ３を残量通知発光部２７に送出することにより、発光制御信号Ｓ３に基づき残量通知発光部２７を、バッテリ４３の残量に応じた発光色で一度（すなわち、数秒程度の短時間）点灯させた後、発光を停止させる。
【０３１８】
よってＣＰＵ４０は、この際、ユーザにより残量通知発光部２７を顔に向けたまま右筐体２と左筐体３とが接続されていると、このとき残量通知発光部２７を介してバッテリ４３の残量をほぼ確実に通知して確認させることができる。
【０３１９】
またＣＰＵ４０は、残量通知発光部２７の発光を停止させると、引き続き電源回路を制御して動作用電力ＰＷ２の生成を停止すると共に、各回路ブロックへの動作用電力ＰＷ２の供給も停止して各回路ブロックの動作を停止させる（図２８（Ｃ））。
【０３２０】
さらにＣＰＵ４０は、各回路ブロックの動作を停止させると、引き続きバッテリ４３からの供給電力ＰＷ１の取り込みも停止して、自己の動作を停止させ、電源オフ状態に移行する（図２８（Ｂ））。
【０３２１】
このようにしてＣＰＵ４０は、電源オン状態で音楽データＤ１を再生してはいなくても、右筐体２と左筐体３との接続が検出されると、これに応じてヘッドホン一体型再生装置１の使用が終了したものとみなし、電源オフ状態になる。
【０３２２】
因みに、ＣＰＵ４０は、この場合も、上述と同様に状態通知発光部２８を点灯させて電源オフ状態への移行を通知する。
【０３２３】
ところで、図２９（Ａ）及び（Ｂ）に示すように、ＣＰＵ４０は、電源オン状態では検出部３３から与えられる接続有無検出信号Ｓ２のレベルを常時、監視している。
【０３２４】
そしてＣＰＵ４０は、検出部３３から与えられる接続有無検出信号Ｓ２のレベルの立ち下がり（すなわち、離隔検出信号Ｓ２Ａから接続検出信号Ｓ２Ｂへの切り替わり）を検出する。
【０３２５】
ＣＰＵ４０は、このようにして接続有無検出信号Ｓ２のレベルの立ち下がりを検出すると、その立下検出時点から予め選定された所定時間（例えば、数百〔msec〕）が経過するまでは、右筐体２と左筐体３との接続に応じた制御の実行を保留する。
【０３２６】
またＣＰＵ４０は、立下検出時点から所定時間が経過すると、接続有無検出信号Ｓ２のレベルを所定周期（例えば、100〔msec〕周期）で数回（例えば、３回）検出する。
【０３２７】
その結果、ＣＰＵ４０は、接続有無検出信号Ｓ２に対して数回検出したレベルが全て論理「Ｌ」レベルで一致すると、右筐体２と左筐体３とが接続されたと判断する。
【０３２８】
すなわち、ＣＰＵ４０は、検出部３３から離隔検出信号Ｓ２Ａに替えて接続検出信号Ｓ２Ｂが与えられ続けると、右筐体２と左筐体３とが接続されたと判断する。
【０３２９】
このようにしてＣＰＵ４０は、右筐体２と左筐体３とが接続されたと判断すると、その判断に応じて、上述したように音楽データＤ１の再生等を停止させて、最終的には電源オフ状態になる。
【０３３０】
これに対してＣＰＵ４０は、接続有無検出信号Ｓ２に対して数回検出したレベルが論理「Ｌ」レベルで一致しないと、右筐体２と左筐体３とが接続されてはいないと判断する。
【０３３１】
すなわち、ＣＰＵ４０は、検出部３３から離隔検出信号Ｓ２Ａに替えて与えられた接続検出信号Ｓ２Ｂが再び離隔検出信号Ｓ２Ａに替わると、右筐体２と左筐体３とが接続されてはいないと判断する。
【０３３２】
そしてＣＰＵ４０は、右筐体２と左筐体３とが接続されてはいないと判断すると、電源オン状態を維持することにより、このとき実行中の再生等の処理も継続して実行する。
【０３３３】
このようにしてＣＰＵ４０は、ユーザにより右筐体２と左筐体３とが意識的に接続されたときにのみ、処理の停止や電源オフへの制御を実行する。
【０３３４】
すなわち、ＣＰＵ４０は、ユーザにより右筐体２と左筐体３とが誤って一時的に接続されたときに、ユーザが望まないのに音楽の出力を強制的に停止し、また電源をオフすることを防止している。
【０３３５】
特に検出部３３は、磁気センサ６０の配置精度や検出精度等に応じて、右筐体２と左筐体３とが完全に接続されたときのみならず、これらがある程度（例えば、数ミリの距離まで）近づいた状態でも、右筐体２と左筐体３とが接続されたと検出している。
【０３３６】
このため、ＣＰＵ４０は、ユーザにより右筐体２と左筐体３とが誤って一時的に近づけられたときにも、ユーザが望まないのに音楽の出力を強制的に停止し、また電源をオフすることを防止している。
【０３３７】
ところで図３０（Ａ）乃至（Ｆ）に示すように、ＣＰＵ４０は、右筐体２と左筐体３とが接続された状態でジョグダイヤル２５が短押操作されると、これに応じてジョグダイヤル２５から与えられる操作信号Ｓ１を取り込む（図３０（Ａ））。このときＣＰＵ４０は、その操作信号Ｓ１に応じて電源オン命令が入力されたと判断する。
【０３３８】
そしてＣＰＵ４０は、電源オン命令の入力を判断すると、バッテリ４３から供給電力ＰＷ１を電源回路に取り込んで（図３０（Ｂ））、当該電源回路により供給電力ＰＷ１をもとに動作用電力ＰＷ２を生成する（図３０（Ｃ））。
【０３３９】
これによりＣＰＵ４０は、動作用電力ＰＷ２により電源オン状態となり動作を開始すると共に、各回路ブロックへ対応する動作用電力ＰＷ２を供給して適宜動作させる。
【０３４０】
しかしながらＣＰＵ４０は、このとき動作を開始した検出部３３から右筐体２と左筐体３とが接続されていることが検出されて接続検出信号Ｓ２Ｂが与えられる（図３０（Ｄ））と、これに応じて電源回路を制御して動作用電力ＰＷ２の生成を停止する。
【０３４１】
そしてＣＰＵ４０は、各回路ブロックへの動作用電力ＰＷ２の供給も停止して各回路ブロックの動作を停止させる（図３０（Ｃ））。
【０３４２】
またＣＰＵ４０は、各回路ブロックの動作を停止させると、引き続きバッテリ４３からの供給電力ＰＷ１の取り込みも停止して、自己の動作を停止させ、再び電源オフ状態に戻る（図３０（Ｂ））。
【０３４３】
ここで、ヘッドホン一体型再生装置１は、電源オフ状態でジョグダイヤル２５が短押操作されると、その短押操作を電源オン命令の入力用の操作とみなし、かかる操作の後に、操作部４４に対して音楽データＤ１の再生に関する操作を行わせる。
【０３４４】
しかしながら、ＣＰＵ４０は、右筐体２と左筐体３とが接続され、かつ電源オフ状態でジョグダイヤル２５が短押操作されると、電源オン状態に移行するものの、すぐに電源オフ状態に戻る。
【０３４５】
このためＣＰＵ４０は、右筐体２と左筐体３とが接続されている間は、ジョグダイヤル２５に対する電源オン命令の入力用の短押操作のみを受け付け、実質的に操作部４４に対する音楽データＤ１の再生に関する操作を全て無効にするように制御している。
【０３４６】
因みに、操作部４４への音楽データＤ１の再生に関する操作が無効な状態とは、ＣＰＵ４０が操作部４４への音楽データＤ１の再生に関する操作に応じた操作命令の入力を受け付けない状態である。
【０３４７】
これによりＣＰＵ４０は、例えば、右筐体２と左筐体３とが接続された状態で持ち運ばれている途中に操作部４４が誤操作されても、音楽データＤ１を再生せずに（図３０（Ｆ））、かくしてバッテリ４３の電力が無駄に消費されることを防止することができる。
【０３４８】
またＣＰＵ４０は、例えば、右筐体２と左筐体３とが接続された状態で持ち運ばれている途中に操作部４４が誤操作されても、残量通知発光部２７等も発光させず（図３０（Ｅ））、バッテリ４３の電力が無駄に消費されることをさらに防止することができる。
【０３４９】
因みに、ＣＰＵ４０は、右筐体２と左筐体３とが接続されている間は、ジョグダイヤル２５の短押操作に応じて一時的に電源オン状態になるものの、状態通知発光部２８等を全く発光させず、ヘッドホン一体型再生装置１を外見上は何ら変化させていない。
【０３５０】
よってＣＰＵ４０は、右筐体２と左筐体３とが接続されている間は、電源オン命令の入力用の短押操作も含めて、操作を全く受け付けていないように（すなわち、操作部４４をホールド状態にしているように）見せている。
【０３５１】
これによりＣＰＵ４０は、右筐体２と左筐体３とが接続されている状態で、ユーザにより操作部４４が操作されたときには、その操作を無効にするように設定していることを容易に認識させることができる。
【０３５２】
よってＣＰＵ４０は、右筐体２と左筐体３とが接続されている間は、例えば、ユーザによりジョグダイヤル２５が何度も短押操作されて、電源オン状態と電源オフ状態とに交互に移行してバッテリ４３の電力が無駄に消費されることも防止することができる。
【０３５３】
［１−４  再生制御処理手順］
次いで、図３１及び図３２に示すフローチャートを用いて、上述したヘッドホン一体型再生装置１による再生制御の処理手順（これを再生制御処理手順とも呼ぶ）ＲＴ１について説明する。尚、この再生制御処理手順ＲＴ１は、ヘッドホン一体型再生装置１のＣＰＵ４０がＲＯＭ４１に記憶されているプログラムに従って実行する処理の手順である。
【０３５４】
ヘッドホン一体型再生装置１のＣＰＵ４０は、電源オン状態となると、この再生制御処理手順ＲＴ１を開始して、ステップＳＰ１に移る。ステップＳＰ１においてＣＰＵ４０は、ジョグダイヤル２５が短押操作されるまで待ち受ける。
【０３５５】
ジョグダイヤル２５が短押操作されるとＣＰＵ４０は、このステップＳＰ１で肯定結果を得て、ステップＳＰ２に移る。ステップＳＰ２においてＣＰＵ４０は、通常再生モードに移行し、音楽データの通常再生を開始した後、次のステップＳＰ３に移る。
【０３５６】
ステップＳＰ３においてＣＰＵ４０は、ジョグダイヤル２５が＋回転操作されたか否かを判別する。ここでジョグダイヤル２５が＋回転操作されたことにより、このステップＳＰ３で肯定結果を得ると、このときＣＰＵ４０は、ステップＳＰ４に移る。
【０３５７】
ステップＳＰ４においてＣＰＵ４０は、現在再生中の音楽データの再生を停止して、次の音楽データの再生を開始して（つまり曲送りを行って）、再びステップＳＰ２に戻り、音楽データの通常再生を継続する。
【０３５８】
これに対して、ジョグダイヤル２５が＋回転操作されていないことにより、上述のステップＳＰ３で否定結果を得ると、このときＣＰＵ４０は、ステップＳＰ５に移る。
【０３５９】
ステップＳＰ５においてＣＰＵ４０は、ジョグダイヤル２５が−回転操作されたか否かを判別する。ここでジョグダイヤル２５が−回転操作されたことにより、このステップＳＰ５で肯定結果を得ると、このときＣＰＵ４０は、ステップＳＰ６に移る。
【０３６０】
ステップＳＰ６においてＣＰＵ４０は、現在再生中の音楽データの再生を停止して、１つ前の音楽データの再生を開始して、又は再生中の音楽データの先頭位置から再生を開始して（つまり曲戻しを行って）、再びステップＳＰ２に戻る。そしてＣＰＵ４０は、音楽データの通常再生を継続する。
【０３６１】
これに対して、上述のステップＳＰ５で否定結果を得ると、このことはジョグダイヤル２５が＋回転操作も−回転操作もされていないことを意味する。このときＣＰＵ４０は、ステップＳＰ７に移り、ジョグダイヤル２５が短押操作されたか否かを判別する。ここで、ジョグダイヤル２５が短押操作されたことにより、このステップＳＰ７で肯定結果を得ると、このときＣＰＵ４０は、ステップＳＰ８に移る。
【０３６２】
ステップＳＰ８においてＣＰＵ４０は、通常再生中の音楽データの再生を停止して、再びステップＳＰ１に戻り、ジョグダイヤル２５が短押操作されるのを待ち受ける。
【０３６３】
これに対して、上述のステップＳＰ７で否定結果を得ると、このことはジョグダイヤル２５が＋回転操作も−回転操作も短押操作もされていないことを意味する。このときＣＰＵ４０は、ステップＳＰ９に移り、ジョグダイヤル２５が長押操作されたか否かを判別する。このステップＳＰ９で否定結果を得ると、このことはジョグダイヤル２５が何ら操作されていないことを意味する。このときＣＰＵ４０は、再びステップＳＰ２に戻り、音楽データの通常再生を継続する。
【０３６４】
これに対して、ジョグダイヤル２５が長押操作されたことにより、上述のステップＳＰ９で肯定結果を得ると、このときＣＰＵ４０は、ステップＳＰ１０（図３２）に移る。
【０３６５】
ステップＳＰ１０においてＣＰＵ４０は、さび再生（短）モードに移行し、通常再生中の音楽データの再生を停止して、次の音楽データのさび再生を開始した後、次のステップＳＰ１１に移る。
【０３６６】
ステップＳＰ１１においてＣＰＵ４０は、ジョグダイヤル２５が＋回転操作されたか否かを判別する。ここでジョグダイヤル２５が＋回転操作されたことにより、このステップＳＰ１１で肯定結果を得ると、このときＣＰＵ４０は、ステップＳＰ１２に移る。
【０３６７】
ステップＳＰ１２においてＣＰＵ４０は、現在さび再生中の音楽データの再生を停止して、次の音楽データのさび再生を開始して（つまり曲送りを行って）、再びステップＳＰ１０に戻り、音楽データのさび再生を継続する。
【０３６８】
これに対して、ジョグダイヤル２５が＋回転操作されていないことにより、上述のステップＳＰ１１で否定結果を得ると、このときＣＰＵ４０は、ステップＳＰ１３に移る。
【０３６９】
ステップＳＰ１３においてＣＰＵ４０は、ジョグダイヤル２５が−回転操作されたか否かを判別する。ここでジョグダイヤル２５が−回転操作されたことにより、このステップＳＰ１３で肯定結果を得ると、このときＣＰＵ４０は、ステップＳＰ１４に移る。
【０３７０】
ステップＳＰ１４においてＣＰＵ４０は、現在さび再生中の音楽データの再生を停止して、１つ前の音楽データのさび再生を開始して（つまり曲戻しを行って）、ステップＳＰ１０に戻り、音楽データのさび再生を継続する。
【０３７１】
これに対して、上述のステップＳＰ１３で否定結果を得ると、このことはジョグダイヤル２５が＋回転操作も−回転操作もされていないことを意味する。このときＣＰＵ４０は、ステップＳＰ１５に移り、ジョグダイヤル２５が短押操作されたか否かを判別する。ここで、ジョグダイヤル２５が短押操作されたことにより、このステップＳＰ１５で肯定結果を得ると、このときＣＰＵ４０は、ステップＳＰ２（図３１）に戻り、さび再生（短）モードから、通常再生モードに移行する。このときＣＰＵ４０は、さび再生中の音楽データの再生を停止して、再度、この音楽データを、その先頭位置から通常再生する。
【０３７２】
これに対して、上述のステップＳＰ１５で否定結果を得ると、このことはジョグダイヤル２５が＋回転操作も−回転操作も短押操作もされていないことを意味する。このときＣＰＵ４０は、ステップＳＰ１６に移り、ジョグダイヤル２５が長押操作されたか否かを判別する。このステップＳＰ１６で否定結果を得ると、このことはジョグダイヤル２５が何ら操作されていないことを意味する。このときＣＰＵ４０は、再びステップＳＰ１０に戻り、音楽データのさび再生を継続する。
【０３７３】
これに対して、ジョグダイヤル２５が長押操作されたことにより、上述のステップＳＰ１６で肯定結果を得ると、このときＣＰＵ４０は、ステップＳＰ１７に移る。
【０３７４】
ステップＳＰ１７においてＣＰＵ４０は、さび再生（長）モードに移行し、さび再生中の音楽データの再生時間を４秒から１５秒に延長して、次のステップＳＰ１８に移る。
【０３７５】
ステップＳＰ１８においてＣＰＵ４０は、ジョグダイヤル２５が＋回転操作されたか否かを判別する。ここでジョグダイヤル２５が＋回転操作されたことにより、このステップＳＰ１８で肯定結果を得ると、このときＣＰＵ４０は、ステップＳＰ１９に移る。
【０３７６】
ステップＳＰ１９においてＣＰＵ４０は、現在さび再生中の音楽データの再生を停止して、次の音楽データのさび再生を開始して（つまり曲送りを行って）、再びステップＳＰ１７に戻り、音楽データのさび再生を継続する。
【０３７７】
これに対して、ジョグダイヤル２５が＋回転操作されていないことにより、上述のステップＳＰ１８で否定結果を得ると、このときＣＰＵ４０は、ステップＳＰ２０に移る。
【０３７８】
ステップＳＰ２０においてＣＰＵ４０は、ジョグダイヤル２５が−回転操作されたか否かを判別する。ここでジョグダイヤル２５が−回転操作されたことにより、このステップＳＰ２０で肯定結果を得ると、このときＣＰＵ４０は、ステップＳＰ２１に移る。
【０３７９】
ステップＳＰ２１においてＣＰＵ４０は、現在さび再生中の音楽データの再生を停止して、１つ前の音楽データのさび再生を開始して（つまり曲戻しを行って）、ステップＳＰ１７に戻り、音楽データのさび再生を継続する。
【０３８０】
これに対して、上述のステップＳＰ２０で否定結果を得ると、このことはジョグダイヤル２５が＋回転操作も−回転操作もされていないことを意味する。このときＣＰＵ４０は、ステップＳＰ２２に移り、ジョグダイヤル２５が短押操作されたか否かを判別する。ここで、ジョグダイヤル２５が短押操作されたことにより、このステップＳＰ２２で肯定結果を得ると、このときＣＰＵ４０は、ステップＳＰ２（図３１）に戻り、さび再生（長）モードから、通常再生モードに移行する。このときＣＰＵ４０は、さび再生中の音楽データの再生を停止して、再度、この音楽データを、その先頭位置から通常再生する。
【０３８１】
これに対して、上述のステップＳＰ２２で否定結果を得ると、このことはジョグダイヤル２５が＋回転操作も−回転操作も短押操作もされていないことを意味する。このときＣＰＵ４０は、ステップＳＰ２３に移り、ジョグダイヤル２５が長押操作されたか否かを判別する。このステップＳＰ２３で否定結果を得ると、このことはジョグダイヤル２５が何ら操作されていないことを意味する。このときＣＰＵ４０は、再びステップＳＰ１７に戻り、音楽データのさび再生を継続する。
【０３８２】
これに対して、ジョグダイヤル２５が長押操作されたことにより、上述のステップＳＰ２３で肯定結果を得ると、このときＣＰＵ４０は、ステップＳＰ１０に戻り、さび再生（長）モードからさび再生（短）に移行し、さび再生時間を１５秒から４秒に短縮する。
【０３８３】
このような再生制御処理手順ＲＴ１に従って、ＣＰＵ４０は、ジョグダイヤル２５の操作に応じた音楽データの再生制御を行うようになっている。
【０３８４】
［１−５  動作及び効果］
以上の構成において、ヘッドホン一体型再生装置１の右筐体２の一面である右筐体内面２Ａに、カナル型の右ヘッドホン４を突設するようにした。さらにヘッドホン一体型再生装置１の左筐体３の一面である左筐体内面３Ａに、カナル型の左ヘッドホン５を突設するようにした。さらに右筐体２の一面に直行する他面である右筐体下面２Ｄの右ヘッドホン４の根元近傍に、ジョグダイヤル２５を設けるようにした。
【０３８５】
そして、このヘッドホン一体型再生装置１は、右ヘッドホン４が右の耳の穴に挿入され、さらに左ヘッドホン５が左の耳の穴に挿入されることで右筐体２及び左筐体３がユーザの頭部に装着される。
【０３８６】
このとき、ヘッドホン一体型再生装置１は、ユーザに対して、右筐体２の側面を親指とその他の指とで挟持させながら、このとき親指の腹が接する部分に位置するジョグダイヤル２５を親指で操作させることができる。
【０３８７】
こうすることで、ヘッドホン一体型再生装置１は、ジョグダイヤル２５の操作時に右筐体２の装着位置がずれることを防止することができ、さらにこのジョグダイヤル２５により種々の操作を容易且つ確実に行わせることができる。
【０３８８】
そしてこのヘッドホン一体型再生装置１は、ジョグダイヤル２５への種々の操作に応じて、再生モードの切り換え、再生開始、再生停止、曲送り、曲戻しなどの再生制御を行う。
【０３８９】
このヘッドホン一体型再生装置１は、再生モードとして、音楽データの先頭位置から後尾位置までを順に再生していく通常再生モードと、音楽データのさび部分を順に再生していくさび再生モードとを有している。
【０３９０】
このさび再生モードで、音楽データのさび部分を順に再生していくことで、ヘッドホン一体型再生装置１は、音楽データに関する情報を表示する表示部がなくとも、複数の音楽データのなかから所望の音楽データをユーザに容易に探させることができる。
【０３９１】
以上の構成によれば、ヘッドホン一体型再生装置１は、右ヘッドホン及び左ヘッドホン３が右の耳の穴及び左の耳の穴に挿入されることにより右筐体２及び左筐体３がユーザの頭部に装着される。さらにヘッドホン一体型再生装置１は、この装着位置がずれないように右筐体２の側面を親指とその他の指で挟持させながら、挟持している親指でジョグダイヤル２５を操作させて複数の命令の入力を行わせることができる。かくしてヘッドホン一体型再生装置１は、従来と比して一段と操作性を向上することができる。
【０３９２】
＜２．他の実施の形態＞
［２−１  他の実施の形態１］
尚、上述した実施の形態では、通常再生モード時に、ジョグダイヤル２５が長押操作されると、さび再生（短）モードに移行し、このさび再生（短）モード時に、ジョグダイヤル２５が長押操作されると、さび再生（長）モードに移行するようにした。
【０３９３】
これに限らず、ＣＰＵ４０が、通常再生モード時にジョグダイヤル２５が長押操作されたら、さび再生（長）モードに移行するようにしてもよい。
【０３９４】
また、ＣＰＵ４０が、通常再生モードへの移行時に、移行前のさび再生モードがさび再生（短）モードとさび再生（長）モードのどちらであったかを示す情報（これを前回さび再生モード情報とも呼ぶ）をＲＯＭ４１に記憶しておくようにしてもよい。
【０３９５】
そしてＣＰＵ４０は、通常再生モード時にジョグダイヤル２５が長押操作されると、ＲＯＭ４１に記憶してある前回さび再生モード情報が示す方のさび再生モードに移行する。
【０３９６】
すなわち、この前回さび再生モード情報にさび再生（短）モードが示されているのであれば、ＣＰＵ４０は、ジョグダイヤル２５の長押操作に応じて通常再生モードからさび再生（短）モードに移行する。これに対して、前回さび再生モード情報にさび再生（長）モードが示されているのであれば、ＣＰＵ４０は、ジョグダイヤル２５の長押操作に応じて通常再生モードからさび再生（長）モードに移行する。
【０３９７】
これによりＣＰＵ４０は、通常再生モードからさび再生モードへの移行時に、さび再生（短）モードとさび再生（長）モードのうち、ユーザが前回通常再生モードに移行する直前まで利用していたさび再生モードに移行することができる。換言すればＣＰＵ４０は、通常再生モードからさび再生モードへの移行時に、さび再生モードのさび再生時間（４秒又は１５秒）を、前回さび再生モードであったときのさび再生時間とすることができる。
【０３９８】
かくしてヘッドホン一体型再生装置１は、通常再生モードから、さび再生（短）モードとさび再生（長）モードのうち、ユーザがいつも利用しているさび再生モードに直ぐに移行することができるので、モード切り換え時の使い勝手を一段と向上させることができる。
【０３９９】
また、ＣＰＵ４０が、右筐体２と左筐体３との接続が検出されることで電源オフ状態になるときに、直前の再生モードがどの再生モードであったかを示す情報（これを電源オフ時再生モード情報とも呼ぶ）をＲＯＭ４１に記憶しておくようにしてもよい。
【０４００】
そしてＣＰＵ４０は、右筐体２と左筐体３との隔離が検出されて電源オン状態になった後、ジョグダイヤル２５が短押操作されると、ＲＯＭ４１に記憶してある電源オフ時再生モード情報が示す再生モードに移行する。
【０４０１】
すなわち、この電源オフ時再生モード情報に通常再生モードが示されているのであれば、ＣＰＵ４０は、ジョグダイヤル２５の短押操作に応じて通常再生モードに移行して、音楽データの通常再生を開始する。また電源オフ時再生モード情報にさび再生（短）モードが示されているのであれば、ＣＰＵ４０は、ジョグダイヤル２５の短押操作に応じてさび再生（短）モードに移行して、音楽データのさび再生を開始する。さらに電源オフ時再生モード情報にさび再生（長）モードが示されているのであれば、ＣＰＵ４０は、ジョグダイヤル２５の短押操作に応じてさび再生（長）モードに移行して、音楽データのさび再生を開始する。
【０４０２】
これによりＣＰＵ４０は、電源オン時に、ユーザが前回電源オフされる直前まで利用していた再生モードに移行することができる。
【０４０３】
［２−２  他の実施の形態２］
また上述した実施の形態では、ヘッドホン一体型再生装置が、さび再生時間が異なる２つのさび再生モード（さび再生（短）モードとさび再生（長）モード）を有するようにした。
【０４０４】
これに限らず、さび再生時間が所定時間の１つのさび再生モードのみを有するようにしてもよいし、さび再生時間が異なる３つ以上のさび再生モードを有するようにしてもよい。３つ以上のさび再生モードを有する場合、ＣＰＵ４０が、例えば、ジョグダイヤル２５が長押操作されるごとに、順にさび再生モードを切り換えていくようにすればよい。
【０４０５】
またさび再生モードを１つとして、このさび再生モードのさび再生時間をユーザが任意に設定できるようにしてもよい。
【０４０６】
具体的にＣＰＵ４０は、通常再生モード時に、ジョグダイヤル２５が長押操作されると、さび再生モードに移行する。このときＣＰＵ４０は、長押操作された時間を、さび再生時間として設定する。
【０４０７】
つまり、ユーザは、さび再生モードでのさび再生時間を長くしたいのであれな、ジョグダイヤル２５を長押操作する時間を長くすればよく、またさび再生時間を短くしたいのであれば、長押操作する時間を短くすればよい。
【０４０８】
こうすることで、ヘッドホン一体型再生装置１は、ジョグダイヤル２５を長押操作する時間を変えると言った直感的な操作で、さび再生モードでのさび再生時間を自由に変えることができる。
【０４０９】
尚、必ずしも、長押操作された時間と、さび再生時間とを一致させなくてもよい。例えば、さび再生時間として設定できる時間を「４秒」、「１０秒」、「１５秒」として、それぞれに対応する長押操作の時間が「１秒以上２秒未満」、「２秒以上３秒未満」、「３秒以上」などとしてもよい。
【０４１０】
さらに、ＣＰＵ４０は、ジョグダイヤル２５が長押操作されている間、例えば所定間隔ごとに、長押操作しはじめてからどの程度時間が経過したかを通知するためのガイドデータを再生するようにしてもよい。このとき再生されるガイドデータは、例えば、「ピッ」と聞こえる効果音を録音した効果音データである。
【０４１１】
さらに再生時間が異なるさび再生モードを例えば３つとして、ジョグダイヤル２５が長押操作された時間に応じたさび再生時間のさび再生モードに移行するようにしてもよい。
【０４１２】
［２−３  他の実施の形態３］
さらに上述した実施の形態では、通常再生モード時に、ジョグダイヤル２５が長押操作されると、さび再生（短）モードに移行するようにした。
【０４１３】
これに限らず、ＣＰＵ４０が、通常再生モード時に、ジョグダイヤル２５が＋回転操作されたら、曲送りをする代わりに、さび再生（短）モードに移行するようにしてもよい。またこの場合、ＣＰＵ４０が、通常再生モード時に、ジョグダイヤル２５が長押操作されたら、電源オフ状態になるようにしてもよい。
【０４１４】
またＣＰＵ４０が、通常再生モード時に、ジョグダイヤル２５が−回転操作されたら、曲戻しをする代わりに、さび再生（短）モードに移行するようにしてもよい。この場合、ＣＰＵ４０は、規定順序リストに規定された順序とは逆順でさび再生していく。
【０４１５】
さらにジョグダイヤル２５の操作と入力される命令との対応付けについては、この他種々の対応付けがなされていてもよい。
【０４１６】
［２−４  他の実施の形態４］
さらに上述した実施の形態では、再生モードの移行時に、この旨を通知するためのガイドデータとして、この旨の音声ガイドを録音した音声データを再生するようにした。これに限らず、この旨を示す効果音を録音した音声データを再生するようにしてもよい。
【０４１７】
さらに上述した実施の形態では、さび再生モードでの音楽データの切り換わり時に、この旨を通知するためのガイドデータとして、この旨を示す効果音を録音した音声データを再生するようにした。これに限らず、この旨の音声ガイドを録音した音声データを再生するようにしてもよい。
【０４１８】
［２−５  他の実施の形態５］
さらに上述した実施の形態では、ヘッドホンと再生装置とが一体化されたヘッドホン一体型再生装置１に本発明を適用した例について説明した。
【０４１９】
これに限らず、上述したヘッドホン一体型再生装置１から、上述した再生制御の機能を除き、上述した再生制御の機能を有する外部の再生装置と無線で通信可能な無線ヘッドホン装置に本発明を適用してもよい。
【０４２０】
この場合、ヘッドホン一体型再生装置１に無線の送受信部を設け、ＣＰＵ４０が、この送受信部を介して、ジョグダイヤル２５の操作により入力される命令信号を、外部の再生装置に送信する。
【０４２１】
この結果、この命令信号を送受信部で受信した外部の再生装置が、ヘッドホン一体型再生装置１と同様の再生制御を行う。そしてこの再生装置は、音楽データを再生して得られる音楽信号、及びガイドデータを再生して得られる音声信号を、送受信部を介して無線ヘッドホン装置に送信する。
【０４２２】
そしてこの無線ヘッドホン装置が、受信した音楽信号に基づく音楽、及び受信した音声信号に基づくガイド音声又は効果音を出力する。
【０４２３】
このように本発明は無線ヘッドホン装置にも適用することができ、これによりこの無線ヘッドホン装置の操作性を、上述したヘッドホン一体型再生装置１と同様に向上させることができる。
【０４２４】
また左右のヘッドホンを有するステレオタイプのヘッドホン一体型再生装置１及び無線ヘッドホン装置に限らず、左右どちらか一方のみのヘッドホンを有するモノラルタイプのヘッドホン一体型再生装置及び無線ヘッドホン装置に本発明を適用することもできる。
【０４２５】
［２−６  他の実施の形態６］
さらに上述した実施の形態では、ヘッドホン一体型再生装置１の右筐体２側面の右筐体下面２Ｄの右ヘッドホン４の根元近傍に、ジョグダイヤル２５を設けるようにした。
【０４２６】
これに限らず、右筐体２側面のヘッドホン４の根元近くであれば、右筐体下面２Ｄに限らず、例えば、右筐体上面２Ｃに設けられていてもよい。この場合、右筐体２を挟持している例えば人差し指の腹の位置にジョグダイヤル２５が位置することになる。つまり、この人差し指でジョグダイヤル２５を操作させればよい。また、このジョグダイヤル２５が右筐体２ではなく、左筐体３に設けられていてもよい。
【０４２７】
さらに、押下操作と回転操作とにより、複数の命令を入力可能な操作デバイスであれば、ジョグダイヤル２５に限らず、この他種々の操作デバイスを、ヘッドホン一体型再生装置１に設けるようにしてもよい。
【０４２８】
［２−７  他の実施の形態７］
さらに上述した実施の形態では、ヘッドホン一体型再生装置１にカナル型の右ヘッドホン４及び左ヘッドホン５を設けるようにした。これに限らず、耳の穴に挿入するタイプのヘッドホンであれば、カナル型以外のヘッドホンを設けるようにしてもよい。
【０４２９】
［２−８  他の実施の形態８］
さらに上述した実施の形態では、再生装置及びヘッドホン装置としてのヘッドホン一体型再生装置１が、筐体としての右筐体２を有するようにした。またこのヘッドホン一体型再生装置１の右筐体２に、耳の穴に挿入するヘッドホンとして右ヘッドホン４を設けるようにした。さらにこのヘッドホン一体型再生１の右筐体２に操作部としてのジョグダイヤル２５を設けるようにした。さらにこのヘッドホン一体型再生装置１に再生部及び制御部としてのＣＰＵ４０を設けるようにした。
【０４３０】
本発明はこれに限らず、同様の機能を有するのであれば、上述したヘッドホン一体型再生装置１の各部を、他の種々のハードウェアもしくはソフトウェアにより構成するようにしてもよい。
【０４３１】
［２−９  他の実施の形態９］
さらに、本発明は、上述した実施の形態とここまで説明した他の実施の形態１乃至８とに限定されるものではない。すなわち本発明は、上述した実施の形態とここまで説明した他の実施の形態１乃至８の一部または全部を任意に組み合わせた形態、もしくは一部を抽出した形態にもその適用範囲が及ぶものである。
【０４３２】
例えば、他の実施の形態１と、他の実施の形態２とを組み合わせてもよい。つまり、ＣＰＵ４０が、さび再生モードに移行するときに、ジョグダイヤル２５が長押操作された時間をさび再生時間として設定する。さらにＣＰＵ４０が、通常再生モードへの移行時に、移行前のさび再生モードのさび再生時間を示す情報（これを前回さび再生時間情報とも呼ぶ）をＲＯＭ４１に記憶する。そしてＣＰＵ４０が、さび再生モードへの移行時に、さび再生モードのさび再生時間を、前回さび再生時間情報が示すさび再生時間に設定するようにしてもよい。
【０４３３】
他の実施の形態１と、他の実施の形態３とを組み合わせてもよい。つまり、ＣＰＵ４０が、通常再生モードからさび再生モードへの切り換えを、ジョグダイヤル２５の＋回転操作で行う。そしてＣＰＵ４０が、通常再生モードからさび再生モードへの移行時に、前回通常再生モードに移行する直前まで利用されていたさび再生モードに移行するようにしてもよい。
【産業上の利用可能性】
【０４３４】
本発明は、操作部を有するヘッドホン装置で広く利用することができる。
【図面の簡単な説明】
【０４３５】
【図１】本発明によるヘッドホン一体型再生装置の外観構成の一実施の形態を示す略線的斜視図である。
【図２】右ヘッドホンの構成を示す略線図である。
【図３】左ヘッドホンの構成を示す略線図である。
【図４】ヘッドバンドと右筐体及び左筐体の一端面との構成を示す略線図である。
【図５】右筐体及び左筐体の接続の説明に供する略線的斜視図である。
【図６】右筐体及び左筐体の接続時のヘッドバンドの構成を示す略線図である。
【図７】右筐体及び左筐体の離隔時のヘッドバンドの構成を示す略線図である。
【図８】ヘッドホン一体型再生装置の装着（１）の説明に供する略線図である。
【図９】ヘッドホン一体型再生装置の装着（２）の説明に供する略線図である。
【図１０】ヘッドホン一体型再生装置の装着（３）の説明に供する略線図である。
【図１１】右筐体の右筐体下面の構成を示す略線図である。
【図１２】ジョグダイヤルの操作の説明に供する略線図である。
【図１３】右筐体の右筐体内面の構成を示す略線図である。
【図１４】ヘッドバンド一体型再生装置が右耳介及び左耳介から外されるときの説明に供する略線図である。
【図１５】右筐体及び左筐体の接続時の残量通知発光部によるバッテリの残量の通知の説明に供する略線図である。
【図１６】右筐体の右筐体外面の構成を示す略線図である。
【図１７】ヘッドホン一体型再生装置の内部構成を示す略線図である。
【図１８】吸着板と磁石との距離に応じた検出部に対する印加磁界の強さの変化（１）の説明に供する略線図である。
【図１９】着板と磁石との距離に応じた検出部に対する印加磁界の強さの変化（２）の説明に供する略線図である。
【図２０】着板と磁石との距離に応じた検出部に対する印加磁界の強さの変化（３）の説明に供する略線図である。
【図２１】着板と磁石との距離に応じた検出部に対する印加磁界の強さの変化（４）の説明に供する略線図である。
【図２２】ヘッドホン一体型再生装置の回路構成を示すブロック図である。
【図２３】ヘッドホン一体型再生装置の操作と再生制御の説明に供する略線図である。
【図２４】検出部の回路構成を示すブロック図である。
【図２５】検出部の磁気センサによる右筐体と左筐体との接続の有無の検出の説明に供する略線図である。
【図２６】右筐体と左筐体とが離隔された状態でのＣＰＵの制御の説明に供するタイミングチャートである。
【図２７】音楽データの再生中に右筐体と左筐体とが接続されたときのＣＰＵの制御の説明に供するタイミングチャートである。
【図２８】音楽データを再生してはいない状態で右筐体と左筐体とが接続されたときのＣＰＵの制御の説明に供するタイミングチャートである。
【図２９】右筐体と左筐体との接続の確認の説明に供する略線図である。
【図３０】右筐体と左筐体とが接続されていたときのＣＰＵの制御の説明に供するタイミングチャートである。
【図３１】再生制御処理手順を示すフローチャートである。
【図３２】図３１の再生制御処理手順を示すフローチャートにつづくフローチャートである。
【符号の説明】
【０４３６】
１……ヘッドホン一体型再生装置、２……右筐体、３……左筐体、４……右ヘッドホン、５……左ヘッドホン、２５……ジョグダイヤル、４０……ＣＰＵ、４４……操作部、ＲＴ１……再生制御処理手順。
【図１】
2010157896.tif 000003
【図２】
2010157896.tif 000004
【図３】
2010157896.tif 000005
【図４】
2010157896.tif 000006
【図５】
2010157896.tif 000007
【図６】
2010157896.tif 000008
【図７】
2010157896.tif 000009
【図８】
2010157896.tif 000010
【図９】
2010157896.tif 000011
【図１０】
2010157896.tif 000012
【図１１】
2010157896.tif 000013
【図１２】
2010157896.tif 000014
【図１３】
2010157896.tif 000015
【図１４】
2010157896.tif 000016
【図１５】
2010157896.tif 000017
【図１６】
2010157896.tif 000018
【図１７】
2010157896.tif 000019
【図１８】
2010157896.tif 000020
【図１９】
2010157896.tif 000021
【図２０】
2010157896.tif 000022
【図２１】
2010157896.tif 000023
【図２２】
2010157896.tif 000024
【図２３】
2010157896.tif 000025
【図２４】
2010157896.tif 000026
【図２５】
2010157896.tif 000027
【図２６】
2010157896.tif 000028
【図２７】
2010157896.tif 000029
【図２８】
2010157896.tif 000030
【図２９】
2010157896.tif 000031
【図３０】
2010157896.tif 000032
【図３１】
2010157896.tif 000033
【図３２】
2010157896.tif 000034